(57)【要約】【課題】特別遊技が開始されていないのに特別遊技の実行報知が行われてしまうのを防ぐこと。【解決手段】パチンコ遊技機１は、入球口（第１始動口２０又は第２始動口２１）への入賞に基づいて、特別入賞口（第２大入賞口３５）を開放させる特定開放遊技（小当たり遊技）を実行する。特別入賞口内の特定領域３９へ遊技球が通過すると、予め定められた種類のエラー（例えば入排出球不一致）がなければ、遊技者に有利な特別遊技（大当たり遊技）を実行する。サブ制御部９９は、特定領域への通過の検知時には、予め定められた第１の態様（図３９（Ａ）に示す態様）に表示手段（画像表示装置７）を制御し、特定領域への通過の検知がなされた場合のエラー無し判定の後に、特別遊技の実行を報知する第２の態様（図３９（Ｂ）に示す態様）に表示手段を制御する。【選択図】図３９
2018020193.tif 000002
【特許請求の範囲】
【請求項１】
遊技球が流下可能な遊技領域に配された入球口と、
前記遊技領域に配された特別入賞口、前記特別入賞口を開閉可能な特別入賞口開閉部材、前記特別入賞口へ入賞した遊技球が通過可能な特定領域、前記特定領域への遊技球の通過を検知する特定領域検知手段、及び、前記特定領域への遊技球の通過が可能な第１状態と不可能又は困難な第２状態とをとる振分部材、を有する特別入賞手段と、
前記入球口への入球に基づいて、前記特別入賞口開閉部材を開放させる特定開放遊技を実行する特定開放遊技実行手段と、
前記特定開放遊技において所定の作動パターンに従って前記振分部材を前記第１状態と前記第２状態とに制御可能な振分部材制御手段と、
前記特定開放遊技中に予め定められた種類のエラーの有無を判定可能なエラー判定手段と、
前記特定開放遊技中の前記特定領域検知手段による通過検知に基づいて、遊技者に有利な特別遊技を実行可能な特別遊技実行手段と、
所定の表示手段による表示を制御可能な表示制御手段と、を備え、
前記特別遊技実行手段は、前記特別遊技の実行を、前記エラー判定手段によるエラー無し判定の後に開始させるものである遊技機であって、
前記表示制御手段は、
前記特定領域検知手段による通過検知時には、予め定められた第１の態様に前記表示手段を制御し、
前記通過検知がなされた場合の前記エラー無し判定の後に、前記特別遊技の実行を報知する第２の態様に前記表示手段を制御するものであることを特徴とする遊技機。
【発明の詳細な説明】
【技術分野】
【０００１】
本発明は、パチンコ遊技機に代表される遊技機に関する。
【背景技術】
【０００２】
遊技機の中には、いわゆる２種遊技を実行可能な遊技機がある。つまり、始動口（入球口）への入賞に基づいて大入賞口（特別入賞口）を開放する小当たり遊技（特定開放遊技）を行い、小当たり遊技において大入賞口内の特定領域を遊技球が通過すると遊技者に有利な大当たり遊技（特別遊技）を行う遊技機がある。例えば下記特許文献１には、このような２種遊技を実行可能な遊技機が記載されている。
【先行技術文献】
【特許文献】
【０００３】
【特許文献１】特開２０１３−２３６８５１号公報
【発明の概要】
【発明が解決しようとする課題】
【０００４】
ところで、上記のような２種遊技を実行可能な遊技機では、小当たり遊技中に特定領域への通過が生じても、小当たり遊技における大入賞口の入排出球数が一致しない等のエラーが有る場合には、大当たり遊技の実行を開始させないのが一般的である。従って、特定領域への通過に基づいて、そのことを報知する表示（例えば「Ｖ」の画像の表示）と、これに続く大当たり遊技の実行を報知する表示（例えば「大当たり」の画像の表示）とを行ってしまうと、エラー発生時には大当たり遊技が開始されていないのに大当たり遊技の実行報知がなされることとなり、遊技者に対して大当たり遊技（特別遊技）が実行されているとの誤解を与えてしまうおそれがある。
【０００５】
本発明は上記事情に鑑みてなされたものである。すなわちその課題とするところは、特別入賞口内の特定領域への通過に基づいて遊技者に有利な特別遊技を実行可能な遊技機において、特別遊技が開始されていないのに特別遊技の実行報知が行われてしまうのを防ぐことである。
【課題を解決するための手段】
【０００６】
本発明の遊技機は、
遊技球が流下可能な遊技領域に配された入球口と、
前記遊技領域に配された特別入賞口、前記特別入賞口を開閉可能な特別入賞口開閉部材、前記特別入賞口へ入賞した遊技球が通過可能な特定領域、前記特定領域への遊技球の通過を検知する特定領域検知手段、及び、前記特定領域への遊技球の通過が可能な第１状態と不可能又は困難な第２状態とをとる振分部材、を有する特別入賞手段と、
前記入球口への入球に基づいて、前記特別入賞口開閉部材を開放させる特定開放遊技を実行する特定開放遊技実行手段と、
前記特定開放遊技において所定の作動パターンに従って前記振分部材を前記第１状態と前記第２状態とに制御可能な振分部材制御手段と、
前記特定開放遊技中に予め定められた種類のエラーの有無を判定可能なエラー判定手段と、
前記特定開放遊技中の前記特定領域検知手段による通過検知に基づいて、遊技者に有利な特別遊技を実行可能な特別遊技実行手段と、
所定の表示手段による表示を制御可能な表示制御手段と、を備え、
前記特別遊技実行手段は、前記特別遊技の実行を、前記エラー判定手段によるエラー無し判定の後に開始させるものである遊技機であって、
前記表示制御手段は、
前記特定領域検知手段による通過検知時には、予め定められた第１の態様に前記表示手段を制御し、
前記通過検知がなされた場合の前記エラー無し判定の後に、前記特別遊技の実行を報知する第２の態様に前記表示手段を制御するものであることを特徴とする遊技機である。
【発明の効果】
【０００７】
本発明によれば、特別遊技が開始されていないのに特別遊技の実行報知が行われてしまうのを防ぐことが可能である。
【図面の簡単な説明】
【０００８】
【図１】実施形態に係る遊技機の正面図である。
【図２】同遊技機が備える第２大入賞装置等を詳細に示す概略正面図である。
【図３】図１に示すＡ部分の拡大図であり、同遊技機が備える表示器類を示す図である。
【図４】同遊技機の主制御基板側の電気的な構成を示すブロック図である。
【図５】同遊技機のサブ制御基板側の電気的な構成を示すブロック図である。
【図６】当たり種別判定テーブルである。
【図７】遊技制御用マイコンが取得する各種乱数を示す表である。
【図８】（Ａ）は大当たり判定テーブルであり、（Ｂ）はリーチ判定テーブルであり、（Ｃ）は普通図柄当たり判定テーブルであり、（Ｄ）は普通図柄変動パターン選択テーブルである。
【図９】変動パターン判定テーブルである。
【図１０】電チューの開放パターン決定テーブルである。
【図１１】主制御メイン処理のフローチャートである。
【図１２】メイン側タイマ割り込み処理のフローチャートである。
【図１３】セキュリティ制御処理のフローチャートである。
【図１４】第２大入賞口不正入賞処理のフローチャートである。
【図１５】特定領域不正通過処理のフローチャートである。
【図１６】第２大入賞口排出確認処理のフローチャートである。
【図１７】センサ検出処理のフローチャートである。
【図１８】普通動作処理のフローチャートである。
【図１９】特別動作処理のフローチャートである。
【図２０】特別図柄待機処理のフローチャートである。
【図２１】大当たり判定処理のフローチャートである。
【図２２】変動パターン選択処理のフローチャートである。
【図２３】変動パターン選択処理のフローチャートである。
【図２４】特別図柄変動中処理のフローチャートである。
【図２５】特別図柄確定処理のフローチャートである。
【図２６】遊技状態管理処理のフローチャートである。
【図２７】特別電動役物処理１（大当たり遊技）のフローチャートである。
【図２８】遊技状態設定処理のフローチャートである。
【図２９】特別電動役物処理２（小当たり遊技）のフローチャートである。
【図３０】特別電動役物処理２（小当たり遊技）のフローチャートである。
【図３１】振分部材制御処理のフローチャートである。
【図３２】特定領域センサ検出処理のフローチャートである。
【図３３】サブ制御メイン処理のフローチャートである。
【図３４】受信割り込み処理のフローチャートである。
【図３５】１ｍｓタイマ割り込み処理のフローチャートである。
【図３６】１０ｍｓタイマ割り込み処理のフローチャートである。
【図３７】受信コマンド解析処理のフローチャートである。
【図３８】特殊遊技演出選択処理のフローチャートである。
【図３９】特定領域通過表示および特別遊技実行表示を示す表示画面の図である。
【発明を実施するための形態】
【０００９】
１．遊技機の構造
実施形態のパチンコ遊技機について、図面に基づいて説明する。図１に示すように、実施形態のパチンコ遊技機１は、遊技機枠５０と、遊技機枠５０内に取り付けられた遊技盤２とを備えている。遊技機枠５０のうちの前面枠５１には、回転角度に応じた発射強度で遊技球を発射させるためのハンドル６０、遊技球を貯留する打球供給皿（上皿）６１、及び打球供給皿６１に収容しきれない遊技球を貯留する余剰球受皿（下皿）６２が設けられている。また前面枠５１には、遊技の進行に伴って実行される演出時などに遊技者が操作し得る演出ボタン６３およびセレクトボタン６４（図１中の一点鎖線内の平面図参照）が設けられている。また前面枠５１には、装飾用の枠ランプ６６およびスピーカ６７が設けられている。
【００１０】
遊技盤２には、ハンドル６０の操作により発射された遊技球が流下する遊技領域３が、レール部材４で囲まれて形成されている。また遊技盤２には、装飾用の盤ランプ５（図５参照）が設けられている。遊技領域３には、遊技球を誘導する複数の遊技くぎ（図示せず）が突設されている。
【００１１】
また遊技領域３の中央付近には、液晶表示装置である画像表示装置７（表示手段の一例）が設けられている。画像表示装置７の表示画面７ａには、後述の第１特別図柄および第２特別図柄の変動表示（可変表示）に同期した装飾図柄（飾り図柄）８Ｌ,８Ｃ,８Ｒの変動表示を行う装飾図柄表示領域がある。装飾図柄表示領域は、例えば「左」「中」「右」の３つの図柄表示エリアからなる。左の図柄表示エリアには左装飾図柄８Ｌが表示され、中の図柄表示エリアには中装飾図柄８Ｃが表示され、右の図柄表示エリアには右装飾図柄８Ｒが表示される。装飾図柄はそれぞれ、例えば「１」〜「９」までの数字をあらわした複数の図柄からなる。画像表示装置７は、左、中、右の装飾図柄の組み合わせによって、後述の第１特別図柄表示器４１ａおよび第２特別図柄表示器４１ｂ（図３参照）にて表示される第１特別図柄および第２特別図柄の変動表示の結果（つまりは大当たり抽選の結果）を、わかりやすく表示する。
【００１２】
例えば大当たりに当選した場合には「７７７」などのゾロ目で装飾図柄を停止表示する。また小当たりに当選した場合には「２４６」などの予め定めたチャンス目で装飾図柄を停止表示する。また、はずれであった場合には「２６３」などのバラケ目で装飾図柄を停止表示する。これにより、遊技者にとっては遊技の進行状況の把握が容易となる。つまり遊技者は、一般的には大当たり抽選の結果を第１特別図柄表示器４１ａや第２特別図柄表示器４１ｂにより把握するのではなく、画像表示装置７にて把握する。なお、図柄表示エリアの位置は固定的でなくてもよい。また、装飾図柄の変動表示の態様としては、例えば上下方向にスクロールする態様がある。また、各抽選結果に応じてどのような装飾図柄の組み合わせを停止表示するかは任意に変更可能であり、小当たり当選時にバラケ目で装飾図柄を停止表示するようにしてもよい。
【００１３】
画像表示装置７は、上記のような装飾図柄を用いた装飾図柄変動演出（装飾図柄可変表示演出）のほか、大当たり遊技（特別遊技）に並行して行われる大当たり演出や、客待ち用のデモ演出などを表示画面７ａに表示する。なお装飾図柄変動演出では、数字等の装飾図柄のほか、背景画像やキャラクタ画像などの装飾図柄以外の演出画像も表示される。「装飾図柄」は「演出図柄」の一例であり、「装飾図柄変動演出」を「演出図柄変動演出」や単に「変動演出」ともいう。
【００１４】
また画像表示装置７の表示画面７ａには、後述の第１特図保留（特図１に関する作動保留）の記憶数に応じて演出保留９を表示する演出保留表示エリアがある。演出保留９の表示により、後述の第１特図保留表示器４３ａ（図３参照）にて表示される第１特図保留の記憶数を、遊技者にわかりやすく示すことが可能となっている。
【００１５】
遊技領域３の中央付近であって画像表示装置７の前方には、センター装飾体１０が配されている。センター装飾体１０の下部には、上面を転動する遊技球を、後述の第１始動口２０へと誘導可能なステージ部１１が形成されている。またセンター装飾体１０の左部には、入口から遊技球を流入させ、出口からステージ部１１へ遊技球を流出させるワープ部１２が設けられている。さらにセンター装飾体１０の上部には、文字や図形等を表した装飾部材１３が配されている。
【００１６】
遊技領域３における画像表示装置７の下方には、遊技球の入球し易さが常に変わらない第１始動口（第１入球口）２０を備える固定入賞装置１９が設けられている。第１始動口２０を、第１始動入賞口や固定入球口ともいう。第１始動口２０への遊技球の入賞は、第１特別図柄の抽選（大当たり抽選、すなわち大当たり乱数等の取得と判定）の契機となっている。
【００１７】
また第１始動口２０の右上方には、第２始動口（第２入球口）２１を備える普通可変入賞装置（いわゆる電チュー）２２が設けられている。第２始動口２１を第２始動入賞口や可変入球口ともいう。第２始動口２１への遊技球の入賞は、第２特別図柄の抽選（大当たり抽選、すなわち大当たり乱数等の取得と判定）の契機となっている。
【００１８】
電チュー２２は、前後に進退可能な可動部材（入球口開閉部材）２３を備え、可動部材２３の作動によって第２始動口２１を開閉するものである。可動部材２３は、電チューソレノイド２４（図４参照）により駆動される。第２始動口２１は、可動部材２３が開いているとき（つまり可動部材２３が開状態をとっているとき）だけ遊技球が入球可能となる。すなわち、可動部材２３が閉じているとき（つまり可動部材２３が閉状態をとっているとき）には遊技球が入球不可能となっている。なお、第２始動口２１は、可動部材２３が閉じているときには開いているときよりも遊技球が入球困難となるものであれば、可動部材２３が閉じているときに完全に入球不可能となるものでなくてもよい。
【００１９】
また、遊技領域３における第１始動口２０の下方には、第１大入賞口（他の特別入賞口）３０を備えた第１大入賞装置（第１特別可変入賞装置、他の特別入賞手段）３１が設けられている。第１大入賞装置３１は、開状態と閉状態とをとる開閉部材（他の特別入賞口開閉部材）３２を備え、開閉部材３２の作動により第１大入賞口３０を開閉するものである。開閉部材３２は、第１大入賞口ソレノイド３３（図４参照）により駆動される。第１大入賞口３０は、開閉部材３２が開いているとき（つまり開状態のとき）だけ遊技球が入球可能となる。
【００２０】
また、遊技領域３における第１大入賞口３０の右方には、第２大入賞口（特別入賞口に相当）３５を備えた第２大入賞装置（特別入賞手段に相当、第２特別可変入賞装置ともいう）３６が設けられている。第２大入賞装置３６は、開状態と閉状態とをとる開閉部材（特別入賞口開閉部材に相当）３７を備え、開閉部材３７の作動により第２大入賞口３５を開閉するものである。開閉部材３７は、前後に進退する進退式のものであり、第２大入賞口ソレノイド３８（図４参照）により駆動される。第２大入賞口３５は、開閉部材３７が開いているとき（つまり開状態のとき）だけ遊技球が入球可能となる。
【００２１】
より詳細には、図２に示すように、第２大入賞装置３６の内部には、第２大入賞口３５を通過した遊技球が通過可能な特定領域（Ｖ領域）３９および非特定領域７０が形成されている。なお、第２大入賞装置３６において、特定領域３９および非特定領域７０の上流には、第２大入賞口３５への遊技球の入賞を検知する第２大入賞口センサ３５ａが配されている。また、特定領域３９には、特定領域３９への遊技球の通過を検知する特定領域センサ３９ａ（特定領域検知手段に相当）が配されている。また、非特定領域７０には、非特定領域７０への遊技球の通過を検知する非特定領域センサ７０ａが配されている。また、第２大入賞装置３６は、第２大入賞口３５を通過した遊技球を特定領域３９または非特定領域７０のいずれかに振り分ける振分部材７１と、振分部材７１を駆動する振分部材ソレノイド７３とを備えている。なお、振分部材７１は、振分部材ソレノイド７３の通電時には、遊技球を特定領域３９に振り分ける第１状態（通過許容状態）をとり、振分部材ソレノイド７３の非通電時には、遊技球を非特定領域７０に振り分ける第２状態（通過阻止状態）をとる。第２状態は、第１状態よりも特定領域３９へ遊技球が振り分けられ難い状態であれば、必ず非特定領域７０に遊技球を振り分ける状態でなくてもよい。
【００２２】
振分部材７１は、図２に二点鎖線で示すように、振分部材ソレノイド７３の通電時には、特定領域３９への遊技球の通過を許容する通過許容状態にある。振分部材７１が通過許容状態にあるときは、第２大入賞口３５に入賞した遊技球は、第２大入賞口センサ３５ａを通過したあと特定領域３９を通過する。この遊技球のルートを第１のルートという。
【００２３】
また振分部材７１は、図２に破線で示すように、振分部材ソレノイド７３の非通電時には、特定領域３９への遊技球の通過を妨げる通過阻止状態にある。振分部材７１が通過阻止状態にあるときは、第２大入賞口３５に入賞した遊技球は、第２大入賞口センサ３５ａを通過したあと振分部材７１上を転動して非特定領域７０を通過する。この遊技球のルートを第２のルートという。
【００２４】
なお本パチンコ遊技機１では、特定領域３９への遊技球の通過は、後述の大当たり遊技（特別遊技）の実行契機となっている。つまり本形態では、特定領域３９への遊技球の通過の有無によっても大当たり抽選を行っている。上述の第１特別図柄の抽選又は第２特別図柄の抽選により当選する大当たりを１種大当たり（直撃大当たり）といい、特定領域３９への遊技球の通過によって当選する大当たりを２種大当たりという。
【００２５】
また図１に示すように、遊技領域３における第２始動口２１の上方には、遊技球が通過可能なゲート２８が設けられている。ゲート２８への遊技球の通過は、電チュー２２を開放するか否かを決める普通図柄抽選（すなわち普通図柄乱数（当たり乱数）の取得と判定）の実行契機となっている。
【００２６】
さらに遊技領域３の左下部には、普通入賞口２７が設けられている。また遊技領域３の最下部には、遊技領域３へ打ち込まれたもののいずれの入賞口にも入賞しなかった遊技球を遊技領域３外へ排出するアウト口６が設けられている。
【００２７】
このように各種の入賞口等が配されている遊技領域３には、左右方向の中央より左側の左遊技領域（第１遊技領域）３Ａと、右側の右遊技領域（第２遊技領域）３Ｂとがある。左遊技領域３Ａを遊技球が流下するように遊技球を発射する打方を、左打ちという。一方、右遊技領域３Ｂを遊技球が流下するように遊技球を発射する打方を、右打ちという。本形態のパチンコ遊技機１では、左打ちにて遊技したときに遊技球が流下する流路を、第１流路Ｒ１といい、右打ちにて遊技したときに遊技球が流下する流路を、第２流路Ｒ２という。
【００２８】
第１流路Ｒ１上には、第１始動口２０と、第１大入賞装置３１と、アウト口６とが設けられている。遊技者は第１流路Ｒ１を流下するように遊技球を打ち込むことで、第１始動口２０への入賞を狙う。
【００２９】
一方、第２流路Ｒ２上には、ゲート２８と、電チュー２２と、第２大入賞装置３６と、第１大入賞装置３１と、アウト口６とが設けられている。遊技者は第２流路Ｒ２を流下するように遊技球を打ち込むことで、ゲート２８への通過、電チュー２２に係る第２始動口２１、第１大入賞口３０、又は第２大入賞口３５への入賞を狙う。
【００３０】
なお本形態では、ゲート２８と、電チュー２２と、第２大入賞装置３６とはユニット化されており、１つの構造体として遊技盤２に対して着脱可能となっている。また、固定入賞装置１９と第１大入賞装置３１とはユニット化されており、１つの構造体として遊技盤２に対して着脱可能となっている。
【００３１】
また図１および図３に示すように、遊技盤２の右下部には表示器類４０が配置されている。表示器類４０には、第１特別図柄（第１図柄）を可変表示する第１特別図柄表示器４１ａ、第２特別図柄（第２図柄）を可変表示する第２特別図柄表示器４１ｂ、及び、普通図柄を可変表示する普通図柄表示器４２が含まれている。また表示器類４０には、第１特別図柄表示器４１ａの作動保留（第１特図保留）の記憶数を表示する第１特図保留表示器４３ａが含まれている。なお本パチンコ遊技機１は、第２特別図柄表示器４１ｂの作動保留（第２特図保留）、及び、普通図柄表示器４２の作動保留（普図保留）を記憶しない構成である。
【００３２】
第１特別図柄の可変表示は、第１始動口２０への遊技球の入賞を契機として行われる。第２特別図柄の可変表示は、第２始動口２１への遊技球の入賞を契機として行われる。なお以下の説明では、第１特別図柄および第２特別図柄を総称して特別図柄ということがある。また、第１特別図柄表示器４１ａおよび第２特別図柄表示器４１ｂを総称して特別図柄表示器４１ということがある。また、第１特図保留を単に特図保留ということがある。
【００３３】
特別図柄表示器４１では、特別図柄（識別図柄）を可変表示（変動表示）したあと停止表示することにより、第１始動口２０又は第２始動口２１への入賞に基づく抽選（特別図柄抽選、大当たり抽選）の結果を報知する。停止表示される特別図柄（停止図柄、可変表示の表示結果として導出表示される特別図柄）は、特別図柄抽選によって複数種類の特別図柄の中から選択された一つの特別図柄である。停止図柄が予め定めた大当たり停止態様の特別図柄（大当たり図柄）である場合には、停止表示された大当たり図柄の種類（つまり当選した大当たりの種類）に応じた開放パターンにて第１大入賞口３０を開放させる大当たり遊技（特別遊技）が行われる。また、停止図柄が予め定めた小当たり停止態様の特別図柄（小当たり図柄）である場合には、停止表示された小当たり図柄の種類（つまり当選した小当たりの種類）に応じた開放パターンにて第２大入賞口３５を開放させる小当たり遊技（特定開放遊技）が行われる。なお、大当たり遊技又は小当たり遊技における大入賞口（第１大入賞口３０及び第２大入賞口３５）の開放パターンについては後述する。
【００３４】
具体的には特別図柄表示器４１は、例えば横並びに配された８個のＬＥＤから構成されており、その点灯態様によって大当たり抽選の結果に応じた特別図柄を表示するものである。例えば大当たり（後述の複数種類の大当たりのうちの一つ）に当選した場合には、「○○●●○○●●」（○：点灯、●：消灯）というように左から１，２，５，６番目にあるＬＥＤが点灯した大当たり図柄を表示する。また、小当たり（後述の複数種類の小当たりのうちの一つ）に当選した場合には、「●●●●○○●●」というように左から５，６番目にあるＬＥＤが点灯した小当たり図柄を表示する。また、ハズレである場合には、「●●●●●●●○」というように一番右にあるＬＥＤのみが点灯したハズレ図柄を表示する。ハズレ図柄として全てのＬＥＤを消灯させる態様を採用してもよい。また、特別図柄が停止表示される前には所定の変動時間にわたって特別図柄の変動表示（可変表示）がなされるが、その変動表示の態様は、例えば左から右へ光が繰り返し流れるように各ＬＥＤが点灯するという態様である。なお変動表示の態様は、各ＬＥＤが停止表示（特定の態様での点灯表示）されていなければ、全ＬＥＤが一斉に点滅するなどなんでもよい。
【００３５】
本パチンコ遊技機１では、第１始動口２０への遊技球の入賞があると、その入賞に対して取得した大当たり乱数等の各種乱数の値（判定用情報）は、第１特図保留として第１特図保留記憶部８５ａ（図４参照）に記憶される。第１特図保留記憶部８５ａに記憶可能な第１特図保留の数には上限があり、本形態における上限値（上限記憶数）は「４」となっている。
【００３６】
第１特図保留記憶部８５ａに記憶された特図保留は、その特図保留に基づく特別図柄の可変表示が可能となったときに消化される。特図保留の消化とは、その特図保留に対応する大当たり乱数等を判定して、その判定結果を示すための特別図柄の可変表示を実行することをいう。従って本パチンコ遊技機１では、第１始動口２０への遊技球の入賞に基づく特別図柄の可変表示がその入賞後にすぐに行えない場合、すなわち特別図柄の可変表示の実行中や、大当たり遊技又は小当たり遊技の実行中に第１始動口２０への入賞があった場合であっても、所定個数を上限として、その入賞に対する大当たり抽選の権利を留保することができるようになっている。
【００３７】
そしてこのような特図保留の数は、第１特図保留表示器４３ａに表示される。具体的には第１特図保留表示器４３ａは４個のＬＥＤで構成されており、特図保留の数だけＬＥＤを点灯させることにより特図保留の数を表示する。
【００３８】
なお本パチンコ遊技機１は、第２始動口２１への遊技球の入賞に基づく第２特別図柄の可変表示がその入賞後にすぐに行えない場合、すなわち特別図柄の可変表示の実行中や、大当たり遊技又は小当たり遊技の実行中に第２始動口２１への入賞があった場合には、その入賞に基づく大当たり乱数等の各種乱数の取得を行わない構成である。すなわち、第２特別図柄表示器４１ｂの作動保留（第２特図保留）を記憶しない構成である。但し、第２特図保留をＲＡＭ８４（図４参照）内の所定の記憶領域に所定の上限数（例えば「４」）まで記憶可能な構成としてもよい。この場合、ＲＡＭ８４に記憶された第２特図保留は、その第２特図保留に基づく第２特別図柄の可変表示が可能となったときに消化される。第２特図保留の消化とは、その第２特図保留に対応する大当たり乱数等を判定して、その判定結果を示すための第２特別図柄の可変表示を実行することをいう。またこの場合、第２特別図柄の記憶数を表示する第２特図保留表示器を設けるとよい。
【００３９】
普通図柄の可変表示は、ゲート２８への遊技球の通過を契機として行われる。普通図柄表示器４２では、普通図柄を可変表示（変動表示）したあと停止表示することにより、ゲート２８への遊技球の通過に基づく普通図柄抽選の結果を報知する。停止表示される普通図柄（普図停止図柄、可変表示の表示結果として導出表示される普通図柄）は、普通図柄抽選によって複数種類の普通図柄の中から選択された一つの普通図柄である。停止表示された普通図柄が予め定めた特定普通図柄（所定の停止態様の普通図柄すなわち普通当たり図柄）である場合には、現在の遊技状態に応じた開放パターンにて第２始動口２１を開放させる補助遊技が行われる。なお、第２始動口２１の開放パターンについては後述する。
【００４０】
具体的には普通図柄表示器４２は、例えば２個のＬＥＤから構成されており（図３参照）、その点灯態様によって普通図柄抽選の結果に応じた普通図柄を表示するものである。例えば抽選結果が当たりである場合には、「○○」（○：点灯、●：消灯）というように両ＬＥＤが点灯した普通当たり図柄を表示する。また抽選結果がハズレである場合には、「●○」というように右のＬＥＤのみが点灯した普通ハズレ図柄を表示する。普通ハズレ図柄として全てのＬＥＤを消灯させる態様を採用してもよい。普通図柄が停止表示される前には所定の変動時間にわたって普通図柄の変動表示（可変表示）がなされるが、その変動表示の態様は、例えば両ＬＥＤが交互に点灯するという態様である。なお変動表示の態様は、各ＬＥＤが停止表示（特定の態様での点灯表示）されていなければ、全ＬＥＤが一斉に点滅するなどなんでもよい。
【００４１】
なお本パチンコ遊技機１は、ゲート２８への遊技球の通過に基づく普通図柄の可変表示がその通過後にすぐに行えない場合、すなわち普通図柄の可変表示の実行中や補助遊技の実行中にゲート２８への通過があった場合には、その通過に基づく普通図柄乱数の取得を行わない構成である。すなわち、普通図柄表示器４２の作動保留（普図保留）を記憶しない構成である。但し、普図保留をＲＡＭ８４（図４参照）内の所定の記憶領域に所定の上限数（例えば「４」）まで記憶可能な構成としてもよい。この場合、ＲＡＭ８４に記憶された普図保留は、その普図保留に基づく普通図柄の可変表示が可能となったときに消化される。普図保留の消化とは、その普図保留に対応する普通図柄乱数を判定して、その判定結果を示すための普通図柄の可変表示を実行することをいう。またこの場合、普図保留の記憶数を表示する普図保留表示器を設けるとよい。
【００４２】
２．遊技機の電気的構成
次に図４及び図５に基づいて、本パチンコ遊技機１における電気的な構成を説明する。図４及び図５に示すようにパチンコ遊技機１は、大当たり抽選や遊技状態の移行などの遊技利益に関する制御を行う主制御基板（遊技制御基板）８０、遊技の進行に伴って実行する演出に関する制御を行うサブ制御基板（演出制御基板）９０、遊技球の払い出しに関する制御を行う払出制御基板１１０等を備えている。主制御基板８０は、メイン制御部を構成し、サブ制御基板９０は、後述する画像制御基板１００、ランプ制御基板１０７、および音声制御基板１０６とともにサブ制御部９９を構成する。なお、サブ制御部９９は、少なくともサブ制御基板９０を備え、演出手段（画像表示装置７や盤ランプ５、枠ランプ６６、スピーカ６７、装飾可動体１５等）を用いた遊技演出を制御可能であればよい。つまりサブ制御部９９の構成は、実行予定の演出や遊技機の製造し易さ等に応じて適宜変更可能である。
【００４３】
またパチンコ遊技機１は、電源基板１５０を備えている。電源基板１５０は、主制御基板８０、サブ制御基板９０、及び払出制御基板１１０に対して電力を供給するとともに、これらの基板を介してその他の機器に対して必要な電力を供給する。電源基板１５０には、バックアップ電源回路１５１が設けられている。バックアップ電源回路１５１は、本パチンコ遊技機１に対して電力が供給されていない場合に、後述する主制御基板８０のＲＡＭ８４やサブ制御基板９０のＲＡＭ９４に対して電力を供給する。従って、主制御基板８０のＲＡＭ８４やサブ制御基板９０のＲＡＭ９４に記憶されている情報は、パチンコ遊技機１の電断時であっても保持される。また、電源基板１５０には、電源スイッチ１５５が接続されている。電源スイッチ１５５のＯＮ／ＯＦＦ操作により、電源の投入／遮断が切り換えられる。なお、主制御基板８０のＲＡＭ８４に対するバックアップ電源回路を主制御基板８０に設けたり、サブ制御基板９０のＲＡＭ９４に対するバックアップ電源回路をサブ制御基板９０に設けたりしてもよい。
【００４４】
図４に示すように、主制御基板８０には、プログラムに従ってパチンコ遊技機１の遊技の進行を制御する遊技制御用ワンチップマイコン（以下「遊技制御用マイコン」）８１が実装されている。遊技制御用マイコン８１には、遊技の進行を制御するためのプログラム等を記憶したＲＯＭ８３、ワークメモリとして使用されるＲＡＭ８４、ＲＯＭ８３に記憶されたプログラムを実行するＣＰＵ８２、データや信号の入出力を行うためのＩ／Ｏポート部（入出力回路）８７が含まれている。ＲＡＭ８４には、上述した第１特図保留記憶部８５ａが設けられている。なお、ＲＯＭ８３は外付けであってもよい。
【００４５】
主制御基板８０には、中継基板８８を介して各種センサやソレノイドが接続されている。そのため、主制御基板８０には各センサから信号が入力され、各ソレノイドには主制御基板８０から信号が出力される。具体的にはセンサ類としては、第１始動口センサ２０ａ、第２始動口センサ２１ａ、ゲートセンサ２８ａ、第１大入賞口センサ３０ａ、第２大入賞口センサ３５ａ、特定領域センサ３９ａ、非特定領域センサ７０ａ、および普通入賞口センサ２７ａが接続されている。
【００４６】
第１始動口センサ２０ａは、第１始動口２０内に設けられて第１始動口２０に入賞した遊技球を検出するものである。第２始動口センサ２１ａは、第２始動口２１内に設けられて第２始動口２１に入賞した遊技球を検出するものである。ゲートセンサ２８ａは、ゲート２８内に設けられてゲート２８を通過した遊技球を検出するものである。第１大入賞口センサ３０ａは、第１大入賞口３０内に設けられて第１大入賞口３０に入賞した遊技球を検出するものである。第２大入賞口センサ３５ａは、第２大入賞口３５内に設けられて第２大入賞口３５に入賞した遊技球を検出するものである。特定領域センサ３９ａは、第２大入賞口３５内の特定領域３９に設けられて特定領域３９を通過した遊技球を検出するものである。非特定領域センサ７０ａは、第２大入賞口３５内の非特定領域７０に設けられて非特定領域７０を通過した遊技球を検出するものである。普通入賞口センサ２７ａは、各普通入賞口２７内に設けられて普通入賞口２７に入賞した遊技球を検出するものである。
【００４７】
またソレノイド類としては、電チューソレノイド２４、第１大入賞口ソレノイド３３、第２大入賞口ソレノイド３８、および振分部材ソレノイド７３が接続されている。電チューソレノイド２４は、電チュー２２の可動部材２３を駆動するものである。第１大入賞口ソレノイド３３は、第１大入賞装置３１の開閉部材３２を駆動するものである。第２大入賞口ソレノイド３８は、第２大入賞装置３６の開閉部材３７を駆動するものである。振分部材ソレノイド７３は、第２大入賞装置３６の振分部材７１を駆動するものである。
【００４８】
さらに主制御基板８０には、第１特別図柄表示器４１ａ、第２特別図柄表示器４１ｂ、普通図柄表示器４２、および第１特図保留表示器４３ａが接続されている。すなわち、これらの表示器類４０の表示制御は、遊技制御用マイコン８１によりなされる。
【００４９】
また主制御基板８０は、払出制御基板１１０に各種コマンドを送信するとともに、払い出し監視のために払出制御基板１１０から信号を受信する。払出制御基板１１０には、賞球払出装置１２０、貸球払出装置１３０およびカードユニット１３５（パチンコ遊技機１に隣接して設置され、挿入されたプリペイドカード等の情報に基づいて球貸しを可能にするもの）が接続されているとともに、発射制御回路１１１を介して発射装置１１２が接続されている。発射装置１１２には、ハンドル６０（図１参照）が含まれる。
【００５０】
払出制御基板１１０は、遊技制御用マイコン８１からの信号や、パチンコ遊技機１に接続されたカードユニット１３５からの信号に基づいて、賞球払出装置１２０の賞球モータ１２１を駆動して賞球の払い出しを行ったり、貸球払出装置１３０の球貸モータ１３１を駆動して貸球の払い出しを行ったりする。払い出される賞球は、その計数のため賞球センサ１２２により検知される。また払い出される貸球は、その計数のため球貸センサ１３２により検知される。なお遊技者による発射装置１１２のハンドル６０（図１参照）の操作があった場合には、タッチスイッチ１１４がハンドル６０への接触を検知し、発射ボリューム１１５がハンドル６０の回転量を検知する。そして、発射ボリューム１１５の検知信号の大きさに応じた強さで遊技球が発射されるよう発射モータ１１３が駆動されることとなる。なお本パチンコ遊技機１においては、０．６秒程度で一発の遊技球が発射されるようになっている。
【００５１】
また主制御基板８０は、サブ制御基板９０に対し各種コマンドを送信する。主制御基板８０とサブ制御基板９０との接続は、主制御基板８０からサブ制御基板９０への信号の送信のみが可能な単方向通信接続となっている。すなわち、主制御基板８０とサブ制御基板９０との間には、通信方向規制手段としての図示しない単方向性回路（例えばダイオードを用いた回路）が介在している。
【００５２】
図５に示すように、サブ制御基板９０には、プログラムに従ってパチンコ遊技機１の演出を制御する演出制御用ワンチップマイコン（以下「演出制御用マイコン」）９１が実装されている。演出制御用マイコン９１には、遊技の進行に伴って演出を制御するためのプログラム等を記憶したＲＯＭ９３、ワークメモリとして使用されるＲＡＭ９４、ＲＯＭ９３に記憶されたプログラムを実行するＣＰＵ９２、データや信号の入出力を行うためのＩ／Ｏポート部（入出力回路）９７が含まれている。なお、ＲＯＭ９３は外付けであってもよい。
【００５３】
サブ制御基板９０には、画像制御基板１００、音声制御基板１０６、ランプ制御基板１０７が接続されている。サブ制御基板９０の演出制御用マイコン９１は、主制御基板８０から受信したコマンドに基づいて、画像制御基板１００のＣＰＵ１０２に画像表示装置７の表示制御を行わせる。画像制御基板１００のＲＡＭ１０４は、画像データを展開するためのメモリである。画像制御基板１００のＲＯＭ１０３には、画像表示装置７に表示される静止画データや動画データ、具体的にはキャラクタ、アイテム、図形、文字、数字および記号等（装飾図柄を含む）や背景画像等の画像データが格納されている。画像制御基板１００のＣＰＵ１０２は、演出制御用マイコン９１からの指令に基づいてＲＯＭ１０３から画像データを読み出す。そして、読み出した画像データに基づいて表示制御を実行する。
【００５４】
また演出制御用マイコン９１は、主制御基板８０から受信したコマンドに基づいて、音声制御基板１０６を介してスピーカ６７から音声、楽曲、効果音等を出力する。スピーカ６７から出力する音声等の音響データは、サブ制御基板９０のＲＯＭ９３に格納されている。なお、音声制御基板１０６にＣＰＵを実装してもよく、その場合、そのＣＰＵに音声制御を実行させてもよい。さらにこの場合、音声制御基板１０６にＲＯＭを実装してもよく、そのＲＯＭに音響データを格納してもよい。また、スピーカ６７を画像制御基板１００に接続し、画像制御基板１００のＣＰＵ１０２に音声制御を実行させてもよい。さらにこの場合、画像制御基板１００のＲＯＭ１０３に音響データを格納してもよい。
【００５５】
また演出制御用マイコン９１は、主制御基板８０から受信したコマンドに基づいて、ランプ制御基板１０７を介して枠ランプ６６や盤ランプ５等のランプの点灯制御を行う。詳細には演出制御用マイコン９１は、枠ランプ６６や盤ランプ５等のランプの発光態様を決める発光パターンデータ（点灯/消灯や発光色等を決めるデータ、ランプデータともいう）を作成し、発光パターンデータに従って枠ランプ６６や盤ランプ５などのランプの発光を制御する。なお、発光パターンデータの作成にはサブ制御基板９０のＲＯＭ９３に格納されているデータを用いる。
【００５６】
さらに演出制御用マイコン９１は、主制御基板８０から受信したコマンドに基づいて、ランプ制御基板１０７に中継基板１０８を介して接続された装飾可動体１５を動作させる。なお装飾可動体１５は、図１では図示を省略したが、センター装飾体１０に設けられた可動式のいわゆるギミックのことである。詳細には演出制御用マイコン９１は、装飾可動体１５の動作態様を決める動作パターンデータ（駆動データともいう）を作成し、動作パターンデータに従って装飾可動体１５の動作を制御する。動作パターンデータの作成にはサブ制御基板９０のＲＯＭ９３に格納されているデータを用いる。なお、ランプ制御基板１０７にＣＰＵを実装してもよく、その場合、そのＣＰＵにランプの点灯制御や装飾可動体１５の動作制御を実行させてもよい。さらにこの場合、ランプ制御基板１０７にＲＯＭを実装してもよく、そのＲＯＭに発光パターンや動作パターンに関するデータを格納してもよい。
【００５７】
またサブ制御基板９０には、演出ボタン検出スイッチ（ＳＷ）６３ａ及びセレクトボタン検出スイッチ６４ａが接続されている。演出ボタン検出スイッチ６３ａは、演出ボタン６３（図１参照）が押下操作されたことを検出するものである。演出ボタン６３が押されると演出ボタン検出スイッチ６３ａからサブ制御基板９０に対して検知信号が出力される。また、セレクトボタン検出スイッチ６４ａは、セレクトボタン６４（図１参照）が押下操作されたことを検出するものである。セレクトボタン６４が押されるとセレクトボタン検出スイッチ６４ａからサブ制御基板９０に対して検知信号が出力される。
【００５８】
３．大当たり等の説明
本形態のパチンコ遊技機１では、大当たり抽選（特別図柄抽選）の結果として、「大当たり」、「小当たり」、「はずれ」がある。「大当たり」のときには、特別図柄表示器４１に「大当たり図柄」が停止表示される。「小当たり」のときには、特別図柄表示器４１に「小当たり図柄」が停止表示される。「はずれ」のときには、特別図柄表示器４１に「ハズレ図柄」が停止表示される。
【００５９】
特別図柄抽選にて大当たりに当選すると、停止表示された大当たり図柄の種別に応じた開放パターンにて第１大入賞口３０を開放させる「大当たり遊技（特別遊技に相当）」が実行される。小当たりに当選すると、停止表示された小当たり図柄の種別に応じた開放パターンにて第２大入賞口３５を開放させる「小当たり遊技（特定開放遊技に相当）」が実行される。そして、小当たり遊技の実行中に第２大入賞口３５内の特定領域３９に遊技球が進入すると、当選している小当たり図柄の種別に応じた開放パターンにて第１大入賞口３０を開放させる「大当たり遊技（特別遊技）」が実行される。なお、特別図柄抽選の結果が大当たり当選であることに基づいて実行される大当たり遊技を１種大当たり遊技と称する。また、特定領域３９への通過に基づいて実行される大当たり遊技を２種大当たり遊技と称する。
【００６０】
大当たり遊技は、本形態では、複数回のラウンド遊技（単位開放遊技）と、初回のラウンド遊技が開始される前のオープニング（ＯＰとも表記する）と、最終回のラウンド遊技が終了した後のエンディング（ＥＤとも表記する）とを含んでいる。各ラウンド遊技は、ＯＰの終了又は前のラウンド遊技の終了によって開始し、次のラウンド遊技の開始又はＥＤの開始によって終了する。ラウンド遊技間の大入賞口の閉鎖の時間（インターバル時間）は、その閉鎖前の開放のラウンド遊技に含まれる。
【００６１】
また小当たり遊技は、本形態では、第２大入賞口３５を開放する小当たり開放遊技と、小当たり開放遊技が開始される前の開放前インターバル（オープニング）と、小当たり開放遊技が終了した後の閉鎖後インターバルとを含んでいる。
【００６２】
特別図柄抽選の結果、大当たりに当選すると（つまり１種大当たりに当選すると）、第１大入賞口３０を開放させる大当たり遊技（１種大当たり遊技）が実行される。本形態では図６に示すように、第１特別図柄（特図１）の抽選で当選可能な大当たり図柄（第１特別図柄表示器４１ａに停止表示される大当たり図柄）の種別には２種類あり、第２特別図柄（特図２）の抽選で当選可能な大当たり図柄（第２特別図柄表示器４１ｂに停止表示される大当たり図柄）の種別には１種類ある。具体的には特図１の抽選では、「特図１＿大当たり図柄Ａ」、及び「特図１＿大当たり図柄Ｂ」に当選する可能性がある。また特図２の抽選では、「特図２＿大当たり図柄Ｃ」に当選する可能性がある。
【００６３】
図６に示すように、「特図１＿大当たり図柄Ａ」、及び「特図１＿大当たり図柄Ｂ」は、４Ｒ（ラウンド）大当たりであり、１Ｒあたりの第１大入賞口３０の開放回数は１回であり、その最大開放時間は２９．５秒である。各図柄に当選した場合の大当たり遊技後の遊技状態は、図６に示す通りである。つまり、大当たり図柄Ａは、大当たり遊技後に「時短状態且つ高ベース状態」に制御される図柄である。また、大当たり図柄Ｂは、「非時短状態且つ低ベース状態」に制御される図柄である。なお、遊技状態の詳細については後述する。
【００６４】
また、「特図２＿大当たり図柄Ｃ」は、１５Ｒ大当たりであり、１Ｒあたりの第１大入賞口３０の開放回数は１回であり、その最大開放時間は２９．５秒である。大当たり図柄Ｃは、大当たり遊技後に「時短状態且つ高ベース状態」に制御される図柄である。
【００６５】
特図１の抽選における各大当たり図柄の振分率、及び、特図２の抽選における各大当たり図柄の振分率は、図６に示す通りである。図６に示す振分率によれば、特図１の抽選に基づく１種大当たりの当選によって時短状態に制御される割合は５０％である。一方、特図２の抽選に基づく１種大当たりの当選によって時短状態に制御される割合は１００％である。
【００６６】
また特別図柄抽選の結果、小当たりに当選すると、第２大入賞口３５を１回開放させる小当たり遊技が実行される。小当たり遊技によって開放された第２大入賞口３５へ遊技球が入賞し、その遊技球が第２大入賞装置３６内の特定領域３９を通過した場合には、大当たり当選となり、続けて第１大入賞口３０を開放させる大当たり遊技（２種大当たり遊技）が実行される。この大当たり遊技（特定領域３９への通過を契機とする大当たり遊技）が実行された場合には、小当たり遊技としての第２大入賞口３５の開放が１Ｒ目に相当することになる。なお、小当たり遊技において特定領域３９への遊技球の通過がなければ、大当たり遊技は実行されない。本明細書では、大当たり遊技や小当たり遊技を特殊遊技と総称することとする。なお、大当たり遊技における１回のラウンド遊技中や、小当たり遊技における小当たり開放遊技中に、複数回大入賞口を開放させることがあってもよい。
【００６７】
本形態では図６に示すように、特図２の抽選で当選可能な小当たり図柄（第２特別図柄表示器４１ｂに停止表示される小当たり図柄）の種別は３種類である。具体的には特図２の抽選では、「特図２＿小当たり図柄ａ」、「特図２＿小当たり図柄ｂ」、及び「特図２＿小当たり図柄ｃ」に当選する可能性がある。なお本形態では、特図１の抽選で小当たりに当選することはない。但し、特図１の抽選でも小当たりに当選し得る構成としてもよい。
【００６８】
各種別の小当たり図柄に基づく小当たり遊技では、第２大入賞口３５の１．６秒開放が１回行われる。この開放の前の閉塞時間（オープニングの時間）は、いずれの種類の小当たりに当選した場合も、例えば１秒程度である。また、小当たり遊技ではオープニングの開始から振分部材７１が所定の作動パターンに従って作動される。つまり、振分部材７１は小当たり遊技においてオープニングの開始から一定の動作で動いている。従って、第２大入賞口３５への入賞タイミング次第で、入賞球が特定領域３９を通過したり通過しなかったりする。つまり、第２大入賞口３５への入賞球が振分部材７１の位置に到達するタイミングと、振分部材７１が通過許容状態（図２において二点鎖線で示した状態）をとっているタイミングとが合えば、入賞球は特定領域３９を通過する。これに対して、第２大入賞口３５への入賞球が振分部材７１の位置に到達するタイミングと、振分部材７１が通過阻止状態（図２において破線で示した状態）をとっているタイミングとが合えば、入賞球は非特定領域７０を通過する。
【００６９】
本形態では、第２大入賞口３５への入賞球が特定領域３９を通過する確率（特定領域通過率、Ｖ通過率）は、およそ１／１０程度に設定されている。なお、振分部材７１の作動パターンや第２大入賞口３５の開放パターンは適宜変更可能である。但し、小当たり遊技における第２大入賞口３５の総開放時間は１．８秒以下とすることが望ましい。１．８秒を超えると小当たり遊技において遊技者が獲得可能な賞球の量が多くなり過ぎるおそれがあるからである。
【００７０】
特定領域３９への遊技球の通過（Ｖ通過）に基づいて実行される大当たり遊技（２種大当たり遊技）では、小当たり図柄の種別に応じて定められている開放パターンで第１大入賞口３０が開放される。具体的には、「小当たり図柄ａ」の当選に基づく２種大当たり遊技では、２Ｒ目から１６Ｒ目まで１Ｒあたり１回、最大開放時間を２９．５秒として第１大入賞口３０を開放させる。つまり実質的に１５Ｒの２種大当たり遊技が実行される。そして、この２種大当たり遊技の実行後の遊技状態は、「時短状態且つ高ベース状態」に制御される。
【００７１】
また、「小当たり図柄ｂ」及び「小当たり図柄ｃ」の当選に基づく２種大当たり遊技では、２Ｒ目から５Ｒ目までは１Ｒあたり１回、最大開放時間を２９．５秒として第１大入賞口３０を開放させ、６Ｒ目から１６Ｒ目までは１Ｒあたり１回、最大開放時間を０．１秒として第１大入賞口３０を開放させる。つまり実質的に４Ｒの２種大当たり遊技が実行される。そして、「小当たり図柄ｂ」の当選に基づく２種大当たり遊技の実行後の遊技状態は、「時短状態且つ高ベース状態」に制御される。一方、「小当たり図柄ｃ」の当選に基づく２種大当たり遊技の実行後の遊技状態は、「非時短状態且つ低ベース状態」に制御される。
【００７２】
特図２の抽選における各小当たり図柄の振分率は、図６に示す通りである。図６に示す振分率によれば、特図２の抽選での小当たり当選に基づいて時短状態に制御される割合は８０％である。なお、特図２の抽選での１種大当たり当選に基づいて時短状態に制御される割合を、２種大当たり当選に基づく割合と同様、８０％としてもよい。
【００７３】
ここで本パチンコ遊技機１では、大当たりの当否判定及び小当たりの当否判定は「大当たり乱数」に基づいて行われ、当選した当たりの種別の判定は「当たり種別乱数」に基づいて行われる。図７（Ａ）に示すように、大当たり乱数は０〜６５５３５までの範囲で値をとる。当たり種別乱数は、０〜９９までの範囲で値をとる。なお、第１始動口２０又は第２始動口２１への入賞に基づいて取得される乱数には、大当たり乱数および当たり種別乱数の他に、「リーチ乱数」および「変動パターン乱数」がある。
【００７４】
リーチ乱数は、当否判定の結果がはずれである場合に、その結果を示す装飾図柄変動演出においてリーチを発生させるか否かを決める乱数である。リーチとは、複数の装飾図柄のうち変動表示されている装飾図柄が残り一つとなっている状態であって、変動表示されている装飾図柄がどの図柄で停止表示されるか次第で大当たり当選を示す装飾図柄の組み合わせとなる状態（例えば「７↓７」の状態）のことである。なお、リーチ状態において停止表示されている装飾図柄は、表示画面７ａ内で多少揺れているように表示されていたり、拡大と縮小を繰り返すように表示されていたりしてもよい。このリーチ乱数は、０〜２５５までの範囲で値をとる。
【００７５】
また、変動パターン乱数は、変動時間を含む変動パターンを決めるための乱数である。変動パターン乱数は、０〜９９までの範囲で値をとる。また、ゲート２８への通過に基づいて取得される乱数には、図７（Ｂ）に示す普通図柄乱数（当たり乱数）がある。普通図柄乱数は、電チュー２２を開放させる補助遊技を行うか否かの抽選（普通図柄抽選）のための乱数である。普通図柄乱数は、０〜６５５３５までの範囲で値をとる。
【００７６】
４．遊技状態の説明
次に、本形態のパチンコ遊技機１の遊技状態に関して説明する。パチンコ遊技機１の特別図柄表示器４１および普通図柄表示器４２には、変動時間短縮機能がある。
【００７７】
特別図柄表示器４１の変動時間短縮機能が作動している状態を「時短状態」といい、作動していない状態を「非時短状態」という。時短状態では、特別図柄の変動時間（変動表示開始時から表示結果の導出表示時までの時間）が、非時短状態よりも短くなっている。すなわち、変動時間の短い変動パターンが選択されることが非時短状態よりも多くなるように定められた変動パターン判定テーブルを用いて、変動パターンの判定を行う（図９参照）。つまり、特別図柄表示器４１の変動時間短縮機能が作動すると、作動していないときに比して、特別図柄の可変表示の変動時間として短い変動時間が選択されやすくなる。その結果、時短状態では、始動口への有効な入賞（特別図柄抽選の実行契機となる入賞）が発生しやすくなる。そのため、スムーズな遊技の進行のもとで大当たりを狙うことができる。
【００７８】
普通図柄表示器４２の変動時間短縮機能は、特別図柄表示器４１の変動時間短縮機能に同期して作動するようになっている。すなわち、普通図柄表示器４２の変動時間短縮機能は、時短状態において作動し、非時短状態において作動しない。よって、時短状態では、普通図柄の変動時間が非時短状態よりも短くなっている。本形態では、普通図柄の変動時間は非時短状態では３秒であるが、時短状態では１秒である（図８（Ｄ）参照）。さらに時短状態では、補助遊技における電チュー２２の開放時間が、非時短状態よりも長くなっている（図１０参照）。すなわち、電チュー２２の開放時間延長機能が作動している。加えて時短状態では、補助遊技における電チュー２２の開放回数が、非時短状態よりも多くなっている（図１０参照）。すなわち、電チュー２２の開放回数増加機能が作動している。
【００７９】
普通図柄表示器４２の変動時間短縮機能、電チュー２２の開放時間延長機能、及び電チュー２２の開放回数増加機能が作動している状況下では、これらの機能が作動していない場合に比して、電チュー２２が頻繁に開放され、第２始動口２１へ遊技球が頻繁に入賞することとなる。その結果、発射球数に対する賞球数の割合であるベースが高くなる。従って、これらの機能が作動している状態を「高ベース状態」といい、作動していない状態を「低ベース状態」という。高ベース状態では、手持ちの遊技球を大きく減らすことなく大当たりを狙うことができる。なお、高ベース状態とは、いわゆる電サポ制御（電チュー２２により第２始動口２１への入賞をサポートする制御）が実行されている状態である。そのため、高ベース状態を電サポ制御状態や特典遊技状態ともいう。また低ベース状態を非電サポ制御状態ともいう。
【００８０】
なお、高ベース状態において、普通図柄表示器４２の確率変動機能が作動するようにしてもよい。すなわち、低ベース状態における普通図柄抽選の当選確率を相対的に低く設定し、高ベース状態における普通図柄抽選の当選確率を相対的に高く設定してもよい。この場合、低ベース状態における普通図柄抽選の当選確率を「零」に設定するとよい。なぜなら、低ベース状態において第２特別図柄の抽選が実行されないようにすることが可能となるからである。つまり、このように構成すれば、低ベース状態にも関わらず第２特別図柄の抽選に基づく小当たり遊技の実行を狙った攻略的な遊技を防止することが可能となる。
【００８１】
また、高ベース状態は、上記の全ての機能が作動するものでなくてもよい。すなわち、普通図柄表示器４２の変動時間短縮機能、電チュー２２の開放時間延長機能、電チュー２２の開放回数増加機能、および普通図柄表示器４２の確率変動機能のうち一つ以上の機能の作動によって、その機能が作動していないときよりも電チュー２２に係る第２始動口２１に遊技球が入賞し易くなっていればよい。また、高ベース状態は、時短状態に付随せずに独立して制御されるようにしてもよい。
【００８２】
本形態のパチンコ遊技機１では、大当たり遊技後の遊技状態は、図６に示したように当選した特別図柄の種別に基づいて、「時短状態且つ高ベース状態」又は「非時短状態且つ低ベース状態」に制御される。「時短状態且つ高ベース状態」は、所定の上限実行回数（本形態では９９回）の特別図柄の可変表示が実行されるか、又は、大当たりに当選してその大当たり遊技が実行されることにより終了する。なお、上限実行回数が９９回であるため、時短状態且つ高ベース状態に制御されれば、正しく遊技している限り遊技者は新たな大当たりを得ることが可能となっている。なお、大当たり遊技後の遊技状態を、当選時の遊技状態と、当選した特別図柄の種別とに基づいて設定するように構成してもよい。
【００８３】
また「非時短状態且つ低ベース状態」を、特に「通常遊技状態」という。パチンコ遊技機１を初めて遊技する場合において電源投入後の遊技状態は、通常遊技状態である。また、大当たり遊技（特別遊技）の実行中の状態を「大当たり遊技状態（特別遊技状態）」といい、小当たり遊技（特定開放遊技）の実行中の状態を「小当たり遊技状態（特定開放遊技状態）」ということとする。また、大当たり遊技状態及び小当たり遊技状態を総称して特殊遊技状態ということとする。
【００８４】
高ベース状態では、右打ちにより右遊技領域３Ｂ（図１参照）へ遊技球を進入させた方が有利に遊技を進行できる。電サポ制御により低ベース状態と比べて電チュー２２が開放されやすくなっており、第１始動口２０への入賞よりも第２始動口２１への入賞の方が容易となっているからである。そのため、普通図柄抽選の契機となるゲート２８へ遊技球を通過させつつ、第２始動口２１へ遊技球を入賞させるべく右打ちを行う。これにより左打ちをするよりも、多数の始動入賞（始動口への入賞）を得ることができる。なお本パチンコ遊技機１では、大当たり遊技中も右打ちにて遊技を行う。
【００８５】
これに対して、低ベース状態では、左打ちにより左遊技領域３Ａ（図１参照）へ遊技球を進入させた方が有利に遊技を進行できる。電サポ制御が実行されていないため、高ベース状態と比べて電チュー２２が開放されにくくなっており、第２始動口２１への入賞よりも第１始動口２０への入賞の方が容易となっているからである。そのため、第１始動口２０へ遊技球を入賞させるべく左打ちを行う。これにより右打ちするよりも、多数の始動入賞を得ることができる。
【００８６】
５．遊技制御用マイコン８１の動作
［主制御メイン処理］次に図１１〜図３２に基づいて遊技制御用マイコン８１の動作について説明する。なお、遊技制御用マイコン８１の動作説明にて登場するカウンタ、タイマ、フラグ、ステータス、バッファ等は、ＲＡＭ８４に設けられている。主制御基板８０に備えられた遊技制御用マイコン８１は、パチンコ遊技機１の電源がオンされると、ＲＯＭ８３から図１１に示した主制御メイン処理のプログラムを読み出して実行する。同図に示すように、主制御メイン処理では、まず初期設定を行う（ステップS001）。初期設定では例えば、スタックの設定、定数設定、割り込み時間の設定、ＣＰＵ８２の設定、ＳＩＯ、ＰＩＯ、ＣＴＣ（割り込み時間の管理のための回路）の設定や、各種のフラグ、ステータス及びカウンタ等のリセット等を行う。フラグの初期値は「０」つまり「ＯＦＦ」であり、ステータスの初期値は「１」であり、カウンタの初期値は「０」である。なお初期設定(S001)は、電源投入後に一度だけ実行され、それ以降は実行されない。
【００８７】
初期設定(S001)に次いで、割り込みを禁止し(S002)、普通図柄・特別図柄主要乱数更新処理(S003)を実行する。この普通図柄・特別図柄主要乱数更新処理(S003)では、図７に示した種々の乱数カウンタ値を１加算して更新する。各乱数カウンタ値は上限値に至ると「０」に戻って再び加算される。なお各乱数カウンタの周期初期値は「０」以外の値であってもよく、ランダムに変更されるものであってもよい。また各乱数の少なくとも一部は、カウンタＩＣ等からなる公知の乱数生成回路を利用して生成される所謂ハードウェア乱数であってもよい。全ての乱数をハードウェア乱数とする場合、ソフトウェアによる乱数の更新処理は必要ない。また乱数発生回路は、遊技制御用マイコン８１に内蔵されていてもよい。
【００８８】
普通図柄・特別図柄主要乱数更新処理(S003)が終了すると、割り込みを許可する(S004)。割り込み許可中は、メイン側タイマ割り込み処理(S005)の実行が可能となる。メイン側タイマ割り込み処理(S005)は、例えば４ｍｓｅｃ周期でＣＰＵ８２に繰り返し入力される割り込みパルスに基づいて実行される。すなわち、例えば４ｍｓｅｃ周期で実行される。そして、メイン側タイマ割り込み処理(S005)が終了してから、次にメイン側タイマ割り込み処理(S005)が開始されるまでの間に、普通図柄・特別図柄主要乱数更新処理(S003)による各種カウンタ値の更新処理が繰り返し実行される。なお、割り込み禁止状態のときにＣＰＵ８２に割り込みパルスが入力された場合は、メイン側タイマ割り込み処理(S005)はすぐには開始されず、割り込み許可(S004)がされてから開始される。
【００８９】
［メイン側タイマ割り込み処理］次に、メイン側タイマ割り込み処理(S005)について説明する。図１２に示すように、メイン側タイマ割り込み処理(S005)では、まず出力処理(S101)を実行する。出力処理(S101)では、以下に説明する各処理において主制御基板８０のＲＡＭ８４に設けられた出力バッファにセットされたコマンド等を、サブ制御基板９０や払出制御基板１１０等に出力する。
【００９０】
出力処理(S101)に次いで行われる入力処理(S102)では、主にパチンコ遊技機１に取り付けられている各種センサ（第１始動口センサ２０ａ，第２始動口センサ２１ａ、第１大入賞口センサ３０ａ、第２大入賞口センサ３５ａ、普通入賞口センサ２７ａ等（図４参照））が検知した検出信号を読み込み、賞球情報としてＲＡＭ８４の出力バッファに記憶する。また、下皿６２の満杯を検出する下皿満杯スイッチからの検出信号も取り込み、下皿満杯データとしてＲＡＭ８４の出力バッファに記憶する。
【００９１】
次にセキュリティ制御処理(S103)を実行する。セキュリティ制御処理(S103)については後述する。続いてタイマ更新処理(S104)を実行する。タイマ更新処理(S104)では、作動中の各種タイマの値の更新（減算）を行う。
【００９２】
次に普通図柄・特別図柄主要乱数更新処理(S105)を行う。普通図柄・特別図柄主要乱数更新処理(S105)は、図１１の主制御メイン処理で行われる普通図柄・特別図柄主要乱数更新処理(S003)と同じである。即ち、図７に示した各種乱数カウンタ値（普通図柄乱数カウンタ値も含む）の更新処理は、メイン側タイマ割り込み処理(S005)の実行期間と、それ以外の期間（メイン側タイマ割り込み処理(S005)の終了後、次のメイン側タイマ割り込み処理(S005)が開始されるまでの期間）との両方で行われている。
【００９３】
普通図柄・特別図柄主要乱数更新処理(S105)に次いで、後述するセンサ検出処理(S106)、普通動作処理(S107)、特別動作処理(S108)、振分部材制御処理(S109)および特定領域センサ検出処理(S110)を実行する。その後、その他の処理(S111)を実行して、メイン側タイマ割り込み処理(S005)を終了する。その他の処理(S111)としては、後述の特図１保留球数に基づいて第１特図保留表示器４３ａをその数を示す表示態様に制御する等の処理を行う。そして、次にＣＰＵ８２に割り込みパルスが入力されるまでは主制御メイン処理のステップS002〜S004の処理が繰り返し実行され（図１１参照）、割り込みパルスが入力されると（約４ｍｓｅｃ後）、再びメイン側タイマ割り込み処理(S005)が実行される。再び実行されたメイン側タイマ割り込み処理(S005)の出力処理(S101)においては、前回のメイン側タイマ割り込み処理(S005)にてＲＡＭ８４の出力バッファにセットされたコマンド等が出力される。
【００９４】
［セキュリティ制御処理］図１３に示すように、セキュリティ制御処理(S103)ではまず、普通電役不正入賞処理(S120)を行う。この処理では、電チュー２２（つまり普通電役）への不正な入賞の有無を検知して、不正入賞が検知されればその旨を報知するための異常入賞報知と、異常が検出されたことを示す異常検出の設定とを行う。続いて、第１大入賞口不正入賞処理(S121)を行う。この処理では、第１大入賞口３０への不正な入賞の有無を検知する。不正入賞が検知されれば異常入賞報知と、異常検出の設定とを行う。次いで、後述する第２大入賞口不正入賞処理(S122)、特定領域不正通過処理(S123)、及び第２大入賞口排出確認処理(S124)を行う。
【００９５】
その後、磁気検出処理(S125)を行う。磁気検出処理(S125)では、磁気を利用した不正行為を検知するための磁気検知センサ（不図示）からの入力信号を読み取り、磁気による不正行為がなされたと判定されると、不正行為の検出報知及び異常検出の設定を行う。なお、磁気による不正行為が検出された場合には、以後、電源の再投入がなされるまで遊技は停止される。続いて、扉開放処理(S126)を行う。扉開放処理(S126)では、前面枠５１や内枠の開放を検知する扉開放検知センサ（不図示）からの入力信号を読み取り、前面枠５１又は内枠が開放されていると判定されると、扉開放の報知を行う。
【００９６】
次いで、不正電波検出処理(S127)を行う。不正電波検出処理(S127)では、電波を利用した不正行為を検知するための電波検知センサ（不図示）からの入力信号を読み取り、電波による不正行為がなされたと判定されると、不正行為の検出報知及び異常検出の設定を行う。その後、衝撃検出処理(S128)を行って、セキュリティ制御処理を終える。衝撃検出処理(S128)では、パチンコ遊技機１を振動させる不正行為を検知するための振動検知センサ（不図示）からの入力信号を読み取り、振動による不正行為がなされたと判定されると、不正行為の検出報知及び異常検出の設定を行う。
【００９７】
［第２大入賞口不正入賞処理］図１４に示すように、第２大入賞口不正入賞処理(S122)ではまず、第２大入賞口３５の開放中か否かを判定する(S130)。開放中であれば(S130でYES)、不正入賞はないため本処理を終える。一方開放中でなければ(S130でNO)、続いて、第２大入賞口有効タイマの値が「０」でないか否かを判定する(S131)。第２大入賞口有効タイマは、第２大入賞口センサ３５ａへの入賞の有効期間を測るタイマである。「０」でなければ(S131でYES)、不正入賞はないため本処理を終える。一方「０」であれば(S131でNO)、続いて、第２大入賞口３５への通過が検知されたか否か（第２大入賞口センサ３５ａによる遊技球の通過検知があったか否か）を判定する(S132)。
【００９８】
ステップS132で通過検知がなければ本処理を終える。これに対して、通過検知があれば(S132でYES)、続いて第２大入賞口有効カウンタの値が「０」であるか否かを判定する(S133)。第２大入賞口有効カウンタは、第２大入賞口３５への有効な入賞の回数を減算方式でカウントするカウンタである。ステップS133で「０」でなければ、第２大入賞口有効カウンタの値を１減算して(S134)、本処理を終える。一方、「０」であれば(S133でYES)、第２大入賞口３５の入賞を無効化して(S135)、つまり賞球の対象とせずに、異常入賞の報知を行うとともに、異常検出の設定を行う(S136)。なお、第２大入賞口有効タイマおよび第２大入賞口有効カウンタの値は第２大入賞口３５を開放させる小当たり開放遊技の開始時に適宜設定されるものとする。
【００９９】
［特定領域不正通過処理］図１５に示すように、特定領域不正通過処理(S123)ではまず、特定領域３９の有効期間中（Ｖ有効期間中）か否かを判定する(S140)。特定領域３９の有効期間中であれば(S140でYES)、不正通過はないため本処理を終える。一方、特定領域３９の有効期間中でなければ(S140でNO)、特定領域３９への通過が検知されたか否か（特定領域センサ３９ａによる遊技球の通過検知があったか否か）を判定する(S141)。特定領域への通過検知がなければ(S141でNO)、本処理を終える。これに対して、通過検知があれば(S141でYES)、Ｖ無効期間中の特定領域３９への通過であるため、異常入賞（異常通過）の報知を行うとともに、異常検出の設定を行う(S142)。
【０１００】
［第２大入賞口排出確認処理］図１６に示すように、第２大入賞口排出確認処理(S124)ではまず、第２大入賞口３５への通過が検知されたか否か（第２大入賞口センサ３５ａによる遊技球の通過検知があったか否か）を判定する(S150)。通過検知があれば、Ｖ大入賞口出入カウンタを１加算して(S151)、ステップS152に進む。通過検知がなければ、ステップS151を行わずにステップS152に進む。Ｖ大入賞口出入カウンタは、特定領域３９（Ｖ領域）を内部に備える第２大入賞装置３６（第２大入賞口３５）に対する入賞球と排出球との差をカウントするためのカウンタである。
【０１０１】
ステップS152では、非特定領域７０への通過が検知されたか否か（非特定領域センサ７０ａによる遊技球の通過検知があったか否か）を判定する(S152)。通過検知がなければステップS155に進む。一方、通過検知があれば(S152でYES)、続いて、Ｖ大入賞口出入カウンタの値が「０」であるか否かを判定する(S153)。「０」でなければ(S153でNO)、Ｖ大入賞口出入カウンタの値を１減算して(S154)、ステップS155に進む。一方、「０」であれば(S153でYES)、第２大入賞口３５からの不正な排出球があったことになるため、異常入賞の報知を行うとともに、異常検出の設定を行う(S158)。
【０１０２】
ステップS155では、特定領域３９への通過が検知されたか否か（特定領域センサ３９ａによる遊技球の通過検知があったか否か）を判定する(S155)。通過検知がなければ本処理を終える。一方、通過検知があれば(S155でYES)、続いて、Ｖ大入賞口出入カウンタの値が「０」であるか否かを判定する(S156)。「０」でなければ(S156でNO)、Ｖ大入賞口出入カウンタの値を１減算して(S157)、本処理を終える。一方、「０」であれば(S156でYES)、第２大入賞口３５からの不正な排出球（特定領域３９への不正通過）があったことになるため、異常入賞（異常通過）の報知を行うとともに、異常検出の設定を行う(S158)。
【０１０３】
［センサ検出処理］図１７に示すように、センサ検出処理(S106)ではまず、ゲート２８に遊技球が通過したか否か、即ち、ゲートセンサ２８ａによって遊技球が検出されたか否か判定する(S201)。遊技球がゲート２８を通過していなければ(S201でNO)、ステップS205に進むが、ゲート２８を通過していれば(S201でYES)、続いて、普通図柄の変動待機中か否かを判定する(S202)。普通図柄の変動待機中とは、普通図柄の変動表示の実行中でも補助遊技の実行中でもない状態である。普通図柄の変動待機中でなければ(S202でNO)、ステップS205に進むが、普通図柄の変動待機中であれば(S202でYES)、普通図柄乱数取得処理(S203)を行う。普通図柄乱数取得処理(S203)では、普通図柄乱数カウンタ値（ラベル−ＴＲＮＤ−Ｈの値、図７（Ｂ））を取得し、その取得乱数値を所定の記憶領域に格納する。
【０１０４】
続いてセンサ検出処理(S106)では、第１始動口２０に遊技球が入賞したか否か、即ち、第１始動口センサ２０ａによって遊技球が検出されたか否かを判定する(S205)。第１始動口２０に遊技球が入賞していない場合(S205でNO)にはステップS211に進むが、第１始動口２０に遊技球が入賞した場合には(S205でYES)、特図１保留球数（第１特図保留の数、具体的にはＲＡＭ８４に設けた第１特図保留の数をカウントするカウンタの数値）が「４」に達しているか否か判定する(S206)。そして、特図１保留球数が「４」に達している場合(S206でYES)には、ステップS211に進むが、特図１保留球数が「４」未満である場合には(S206でNO)、特図１保留球数に「１」を加算する(S207)。
【０１０５】
続いて特図１関係乱数取得処理(S208)を行う。特図１関係乱数取得処理(S208)では、大当たり乱数カウンタ値（ラベル−ＴＲＮＤ−Ａ）、当たり種別乱数カウンタ値（ラベル−ＴＲＮＤ−ＡＳ）、リーチ乱数カウンタ値（ラベル−ＴＲＮＤ−ＲＣ）及び変動パターン乱数カウンタ値（ラベル−ＴＲＮＤ−Ｔ１）を取得し（つまり図７（Ａ）に示す乱数値群を取得し）、それら取得乱数値を第１特図保留記憶部８５ａのうち現在の特図１保留球数に応じた第１特図保留記憶部８５ａの記憶領域に格納する。
【０１０６】
続いてセンサ検出処理(S106)では、第２始動口２１に遊技球が入賞したか否か、即ち、第２始動口センサ２１ａによって遊技球が検出されたか否か判定する(S211)。第２始動口２１に遊技球が入賞していない場合(S211でNO)には処理を終えるが、第２始動口２１に遊技球が入賞した場合には(S211でYES)、続いて特別動作ステータスの値が「１」か否かを判定する(S212)。特別動作ステータスについての詳細は後述するが、特別動作ステータスの値が「１」であるということは、特別図柄の変動表示の実行中でも、大当たり遊技や小当たり遊技の実行中でもないということである。
【０１０７】
ステップS212の判定結果がNOであれば本処理を終えるが、ステップS212の判定結果がYESであれば、特図２関係乱数取得処理(S213)を行う。特図２関係乱数取得処理(S213)では、特図１関係乱数取得処理(S208)と同様に、大当たり乱数カウンタ値（ラベル−ＴＲＮＤ−Ａ）、当たり種別乱数カウンタ値（ラベル−ＴＲＮＤ−ＡＳ）、リーチ乱数カウンタ値（ラベル−ＴＲＮＤ−ＲＣ）及び変動パターン乱数カウンタ値（ラベル−ＴＲＮＤ−Ｔ１）を取得し（つまり図７（Ａ）に示す乱数値群を取得し）、それら取得乱数値を所定の記憶領域に格納する。
【０１０８】
[普通動作処理]遊技制御用マイコン８１は、センサ検出処理(S106)に次いで、図１８に示す普通動作処理(S107)を行う。普通動作処理(S107)ではまず、電チュー２２の作動中か否かを判定する(S301)。電チューの作動中でなければ(S301でNO)、続いて、普通図柄の停止表示中（普通図柄の停止時間の開始から終了まで）か否かを判定する(S302)。普通図柄の停止表示中でなければ(S302でNO)、続いて、普通図柄の変動表示中か否かを判定する(S303)。普通図柄の変動表示中でなければ(S303でNO)、続いて、上述のステップS203で取得した当たり判定前の普通図柄乱数の記憶があるか否かを判定する(S304)。普通図柄乱数の記憶がなければ(S304でNO)、本処理を終える。なおここでいう「当たり判定」とは、当たりかどうかを判定することである。
【０１０９】
ステップS304において普通図柄乱数の記憶があれば(S304でYES)、当たり判定処理(S305)を行う。当たり判定処理(S305)では、図８（Ｃ）に示す普通図柄当たり判定テーブル（当たり判定値が「１」〜「６５５３５」）に基づいて当たりか否か判定する。そして、当たり判定の結果に応じた普図停止図柄データをＲＡＭ８４の所定の記憶領域にセットする図柄決定処理を行う(S306)。つまり図柄決定処理(S306)では、「ハズレ」であれば「普通ハズレ図柄」に応じたデータをセットし、「当たり」であれば「普通当たり図柄」に応じたデータをセットする。
【０１１０】
続いて遊技制御用マイコン８１は、普通図柄変動時間決定処理(S307)を行う。普通図柄変動時間決定処理(S307)では、図８（Ｄ）に示す普通図柄変動パターン選択テーブルを参照して、遊技状態が時短状態であれば、普通図柄の変動時間が１秒の普通図柄変動パターンを選択する。一方、遊技状態が非時短状態であれば、普通図柄の変動時間が３秒の普通図柄変動パターンを選択する。
【０１１１】
その後、遊技制御用マイコン８１は、ステップS307で選択した普通図柄変動パターンにて普通図柄の変動表示を開始する(S310)。なおこれに伴い、サブ制御基板９０に普通図柄の変動開始を知らせるため、普通図柄変動開始コマンドをセットする。
【０１１２】
上述のステップS303にて普通図柄の変動表示中であれば(S303でYES)、続いて、普通図柄の変動時間が経過したか否か判定し(S311)、経過していなければ処理を終える。一方、経過していれば(S311でYES)、普通図柄の変動表示を、普通図柄乱数の判定結果に応じた表示結果（普通当たり図柄又は普通ハズレ図柄）で停止させる(S312)。そして、サブ制御基板９０に普通図柄の変動停止を知らせるための普通図柄変動停止コマンドをセットするとともに(S313)、普通図柄の停止時間（本形態では５００ｍｓ）をセットして(S314)本処理を終える。
【０１１３】
また、上述のステップS302にて普通図柄の停止表示中であれば(S302でYES)、続いて、ステップS314でセットした普通図柄の停止時間が経過したか否か判定し(S315)、経過していなければ処理を終える。一方、経過していれば(S315でYES)、普通当たり図柄の普図停止図柄データがセットされているか否かを判定し(S316)、普通当たり図柄のデータでなければ（つまり当たりでなければ(S316でNO)）、本処理を終える。一方、普通当たり図柄のデータであれば（つまり当たりであれば(S316でYES)）、電チュー２２の開放パターンをセットする(S317)。詳細には、時短状態中であれば、電チュー２２の開放パターンとして時短状態中の開放パターン（図１０の電チュー開放ＴＢＬ２参照）をセットする。これに対して、非時短状態中であれば、電チュー２２の開放パターンとして非時短状態中の開放パターン（図１０の電チュー開放ＴＢＬ１参照）をセットする。そして、ステップS317でセットした開放パターンに従って、電チュー２２を作動させる(S318)。
【０１１４】
また、上述のステップS301にて電チュー２２の作動中であれば(S301でYES)、続いて、電チュー２２の作動時間が経過したか否かを判定し(S319)、経過していなければ処理を終える。一方、経過していれば(S319でYES)、電チュー２２の作動を終了させる(S320)。
【０１１５】
［特別動作処理］遊技制御用マイコン８１は、普通動作処理(S107)に次いで、図１９に示す特別動作処理(S108)を行う。特別動作処理(S108)では、特別図柄表示器４１および大入賞装置（第１大入賞装置３１および第２大入賞装置３６）に関する処理を５つの段階に分け、それらの各段階に「特別動作ステータス１，２，３，４，５」を割り当てている。そして、「特別動作ステータス」が「１」である場合には(S901でYES)、特別図柄待機処理(S902)を行い、「特別動作ステータス」が「２」である場合には(S901でNO、S903でYES)、特別図柄変動中処理(S904)を行い、「特別動作ステータス」が「３」である場合には(S901,S903で共にNO、S905でYES)、特別図柄確定処理(S906)を行い、「特別動作ステータス」が「４」である場合には(S901,S903,S905で共にNO、S907でYES)、大当たり遊技としての特別電動役物処理１(S908)を行い、「特別動作ステータス」が「５」である場合には(S901,S903,S905,S907の全てがNO)、小当たり遊技としての特別電動役物処理２(S909)を行う。なお特別動作ステータスは、初期設定では「１」である。
【０１１６】
［特別図柄待機処理］図２０に示すように、特別図柄待機処理(S902)ではまず、第２始動口２１への入賞に起因して取得した乱数カウンタ値群の記憶（ステップS213で取得した乱数カウンタ値群の記憶）があるか否かを判定する(S1001)。ステップS213で取得された乱数カウンタ値群の記憶がなければ(S1001でYES)、続いて、第１始動口２０の保留球数（即ち特図１保留球数）が「０」であるか否かを判定する(S1007)。そして、特図１保留球数が「０」である場合(S1007でYES)、即ち、第１始動口２０への入賞に起因して取得した乱数カウンタ値群の記憶もない場合には、既に画像表示装置７の表示画面７ａを待機画面（客待ち用のデモ画面）としたか否かを判定し(S1013)、そうであれば(S1013でYES)処理を終え、そうでなければ(S1013でNO)、待機画面設定処理(S1014)を行う。待機画面設定処理(S1014)では、所定の待機時間の経過を待って、待機画面を表示させるための客待ち待機コマンドをセットする。
【０１１７】
ステップS1001において、ステップS213で取得された乱数カウンタ値群の記憶がある場合には(S1001でNO)、後述の特図２大当たり判定処理(S1002)及び特図２変動パターン選択処理(S1003)を行う。次いで、遊技制御用マイコン８１は、ステップS213で取得した乱数カウンタ値群の記憶をクリアして(S1005)、特図２変動開始処理(S1006)を実行する。特図２変動開始処理(S1006)では、特別動作ステータスを「２」にセットするとともに変動開始コマンドをＲＡＭ８４の出力バッファにセットして、第２特別図柄の変動表示を開始する。なお、特図２変動開始処理(S1006)でセットされる変動開始コマンド（特図２変動開始コマンドともいう）には、特図２大当たり判定処理(S1002)でセットされた特図停止図柄データの情報や特図２変動パターン選択処理(S1003)でセットされた変動パターンの情報（変動時間の情報を含む情報）が含まれている。
【０１１８】
また、第２始動口２１への入賞に起因して取得した乱数カウンタ値群の記憶はないが(S1001でYES)、特図１保留球数が「０」でない場合(S1007でNO)、即ち第１始動口２０への入賞に起因して取得した乱数カウンタ値群の記憶（特図１の保留情報）が１つ以上ある場合には、後述の特図１大当たり判定処理(S1008)及び特図１変動パターン選択処理(S1009)を行う。その後、遊技制御用マイコン８１は、特図１保留球数を１ディクリメントする(S1010)。そして、第１特図保留記憶部８５ａにおける各種カウンタ値の格納場所（記憶領域）を、現在の位置から読み出される側に一つシフトするとともに、第１特図保留記憶部８５ａにおける保留４個目に対応する記憶領域（読み出される側から最も遠い記憶領域）をクリアする(S1011)。このようにして、第１特図保留が保留された順に消化されるようにしている。続いて遊技制御用マイコン８１は、特図１変動開始処理(S1012)を実行する。特図１変動開始処理(S1012)では、特別動作ステータスを「２」にセットするとともに変動開始コマンドをＲＡＭ８４の出力バッファにセットして、第１特別図柄の変動表示を開始する。なお、特図１変動開始処理(S1012)でセットされる変動開始コマンド（特図１変動開始コマンドともいう）には、特図１大当たり判定処理(S1008)でセットされた特図停止図柄データの情報や特図１変動パターン選択処理(S1009)でセットされた変動パターンの情報（変動時間の情報を含む情報）が含まれている。
【０１１９】
上記のように本形態では、特図２の変動が特図１の変動よりも優先して実行される。そして本形態では、特図２の抽選結果のほとんどが小当たり当選となるように小当たり当選確率が設定されている（図８（Ａ）参照）。
【０１２０】
［特図２大当たり判定処理（特図１大当たり判定処理）］特図２大当たり判定処理(S1002)と特図１大当たり判定処理(S1008)とは、処理の流れが同じであるため図２１に基づいてまとめて説明する。図２１に示すように、特図２大当たり判定処理(S1002)又は特図１大当たり判定処理(S1008)ではまず、判定値として、大当たり乱数カウンタ値（ラベル−ＴＲＮＤ−Ａの値）を読み出す(S1101)。詳細には、特図２大当たり判定処理(S1002)では、ステップS213で取得した大当たり乱数カウンタ値を読み出す。また特図１大当たり判定処理(S1008)では、ＲＡＭ８４の第１特図保留記憶部８５ａ（詳しくは第１特図保留の１個目に対応する記憶領域）に記憶されている大当たり乱数カウンタ値を読み出す。
【０１２１】
次に、大当たり判定テーブル（図８（Ａ））をセットする(S1102)。次いで、セットした大当たり判定テーブルに基づいて大当たりか否かを判定する(S1103)。すなわち、大当たり乱数カウンタ値（ラベル−ＴＲＮＤ−Ａ）が、大当たり判定値である「６５２００」〜「６５５３５」の何れかと一致するか否か判定する（図８（Ａ）参照）。大当たり判定(S1103)の結果が「大当たり」であれば、大当たりフラグをＯＮするとともに(S1104)、当たり種別乱数カウンタ値（ラベル−ＴＲＮＤ−ＡＳの値）を読み出して、図６に示す当たり種別判定テーブルに基づいて大当たり種別を判定する(S1105)。大当たり種別を判定(S1105)した後は、大当たり種別（大当たり図柄の種別）に応じた特図停止図柄データ（図６参照）をＲＡＭ８４に設けた当たり種別バッファにセットして(S1106)処理を終える。
【０１２２】
一方、大当たり判定(S1103)の結果が「大当たり」でなければ、小当たりか否かを判定する(S1107)。詳細には、特図２大当たり判定処理(S1002)では、大当たり乱数カウンタ値が、小当たり判定値である「０」〜「６５１９８」の何れかと一致するか否か判定する（図８（Ａ）の特図２の欄参照）。また特図１大当たり判定処理(S1008)では、小当たり当選確率を零に設定するため（図８（Ａ）の特図１の欄参照）、大当たり乱数カウンタ値がいくつであっても、ステップS1107では小当たり非当選と判定する。
【０１２３】
小当たり判定(S1107)の結果が「小当たり」であれば、小当たりフラグをＯＮするとともに(S1108)、当たり種別乱数カウンタ値（ラベル−ＴＲＮＤ−ＡＳの値）を読み出して、図６に示す当たり種別判定テーブルに基づいて小当たり種別を判定する(S1109)。小当たり種別を判定(S1109)した後は、小当たり種別（小当たり図柄の種別）に応じた特図停止図柄データ（図６参照）をＲＡＭ８４に設けた当たり種別バッファにセットして(S1110)処理を終える。なお、小当たりか否かを決める乱数を、大当たり乱数とは別に設けてもよい。
【０１２４】
また、大当たりでなく(S1103でNO)、小当たりでもなければ(S1107でNO)、「ハズレ」であるので、ハズレ図柄に応じた特図停止図柄データ（０１Ｈ）をセットして(S1111)、本処理を終える。なお特図１大当たり判定処理(S1008)では、ステップS1103にてNOと判定した場合には、ステップS1107の処理を行うことなく直ちにステップS1111の処理を行うように構成してもよい。
【０１２５】
［特図２変動パターン選択処理（特図１変動パターン選択処理）］特図２変動パターン選択処理(S1003)と特図１変動パターン選択処理(S1009)とは、処理の流れが同じであるため図２２及び図２３に基づいてまとめて説明する。図２２に示すように、特図２変動パターン選択処理(S1003)又は特図１変動パターン選択処理(S1009)ではまず、遊技状態が時短状態か否か（時短フラグがＯＮか否か）を判定する(S1301)。
【０１２６】
時短状態でなければ(S1301でNO)、すなわち非時短状態であれば、続いて大当たりフラグがＯＮか否かを判定する(S1302)。ＯＮであれば(S1302でYES)、非時短状態中大当たりテーブル（図９に示す変動パターン判定テーブルのうち非時短状態且つ大当たりに該当する部分）を参照して、変動パターン乱数カウンタ値（ラベル−ＴＲＮＤ−Ｔ１の値）に基づいて変動パターンを選択する(S1303)。図９に示すように、変動パターンが決まれば変動時間も決まる。ここでＳＰリーチ（スーパーリーチ）とは、ノーマルリーチよりもリーチ後の変動時間が長いリーチであり、当選期待度（大当たり当選に対する期待度）がノーマルリーチよりも高くなるようにテーブルの振分率が設定されている。本形態では、スーパーリーチはノーマルリーチを経て発展的に実行される。
【０１２７】
またステップS1302において、大当たりフラグがＯＮでなければ(S1302でNO)、小当たりフラグがＯＮか否かを判定する(S1304)。ＯＮであれば(S1304でYES)、非時短状態中小当たりテーブル（図９に示す変動パターン判定テーブルのうち非時短状態且つ小当たりに該当する部分）を参照して、変動パターン乱数カウンタ値に基づいて変動パターンを選択する(S1305)。
【０１２８】
またステップS1304において、小当たりフラグがＯＮでなければ(S1304でNO)、リーチ乱数カウンタ値（ラベル−ＴＲＮＤ−ＲＣの値）がリーチ成立乱数値か否かを判定する(S1306)。図８（Ｂ）に示すように、リーチ成立乱数値は時短状態であれば「０」〜「１１」であり、非時短状態であれば「０」〜「２７」である。すなわち、時短状態の方が非時短状態よりもハズレ時のリーチがかかりにくくなっている。これは、時短状態において変動時間の短いリーチ無しハズレがより多く選択されるようにすることで、特図変動（特別図柄の変動表示）の実行テンポを早めるためである。リーチ乱数カウンタ値がリーチ成立乱数値である場合(S1306でYES)、即ち、リーチ有りハズレの場合には、非時短状態中リーチ有りハズレテーブル（図９に示す変動パターン判定テーブルのうち非時短状態且つリーチ有りハズレに該当する部分）を参照して、変動パターン乱数カウンタ値に基づいて変動パターンを選択する(S1307)。
【０１２９】
一方、リーチ乱数カウンタ値がリーチ成立乱数値でない場合(S1306でNO)、即ち、リーチ無しハズレの場合には、非時短状態中リーチ無しハズレテーブル（図９に示す変動パターン判定テーブルのうち非時短状態且つリーチ無しハズレに該当する部分）を参照して、変動パターン乱数カウンタ値に基づいて変動パターンを選択する(S1308)。なお、リーチ無しハズレ時には、保留球数に応じた短縮変動の機能が働くようになっている。すなわち、特別図柄の保留球数が「３」又は「４」であるときは、特別図柄の保留球数が「０」〜「２」であるときに比して変動時間の短い変動パターンが選択されるようになっている。
【０１３０】
またステップS1301において、遊技状態が時短状態であると判定した場合(S1301でYES)には、図２３に示すように、参照する変動パターン判定テーブルを時短状態中のテーブル（図９に示す変動パターン判定テーブルのうち時短状態に該当する部分）にする事以外は上記ステップS1302〜S1308と同様の流れで処理(S1309〜S1315)を行う。すなわち、大当たりフラグがＯＮであれば(S1309でYES)、時短状態中大当たりテーブル（図９に示す変動パターン判定テーブルのうち時短状態且つ大当たりに該当する部分）を参照して、変動パターン乱数カウンタ値に基づいて変動パターンを選択する(S1310)。
【０１３１】
また小当たりフラグがＯＮであれば(S1311でYES)、時短状態中小当たりテーブル（図９に示す変動パターン判定テーブルのうち時短状態且つ小当たりに該当する部分）を参照して、変動パターン乱数カウンタ値に基づいて変動パターンを選択する(S1312)。またリーチ乱数カウンタ値がリーチ成立乱数値であれば(S1313でYES)、時短状態中リーチ有りハズレテーブル（図９に示す変動パターン判定テーブルのうち時短状態且つリーチ有りハズレに該当する部分）を参照して、変動パターン乱数カウンタ値に基づいて変動パターンを選択する(S1314)。またリーチ乱数カウンタ値がリーチ成立乱数値でなければ(S1313でNO)、時短状態中リーチ無しハズレテーブル（図９に示す変動パターン判定テーブルのうち時短状態且つリーチ無しハズレに該当する部分）を参照して、変動パターン乱数カウンタ値に基づいて変動パターンを選択する(S1315)。
【０１３２】
なお、時短状態中の変動パターン判定テーブル（図９に示す変動パターン判定テーブルのうち時短状態に該当する部分）では、大当たり当選時に変動時間の長い変動パターンが選択される確率が非時短状態中よりも低くなっている。すなわち、非時短状態中よりも変動時間の短い変動パターンが選択され易くなっている。また、時短状態では特図２の抽選が頻繁に実行され、その抽選結果のほとんどは小当たり当選となる。よって、小当たり変動（小当たり図柄で停止表示される特図変動）に対応する３０００ｍｓの変動時間の変動パターンが主に選択される。このように、時短状態中の変動パターン判定テーブルは、非時短状態中の変動パターン判定テーブルよりも変動時間が短くなるようなテーブルとなっている。
【０１３３】
上記のようにして変動パターンの選択を行った後は、図２２に示すように、選択した変動パターンをセットして(S1316)、本処理を終える。ステップS1316でセットした変動パターンの情報は、特別図柄待機処理(S902)におけるステップS1006又はS1012でセットされる変動開始コマンドに含められる。
【０１３４】
［特別図柄変動中処理］図２４に示すように、特別図柄変動中処理(S904)ではまず、特別図柄の変動時間（ステップS1003又はS1009で選択された変動パターンに応じて決まる変動時間、図９参照)が経過したか否かを判定する(S1501)。経過していなければ(S1501でNO)、直ちにこの処理を終える。これにより特別図柄の変動表示が継続される。
【０１３５】
一方、変動時間が経過していれば(S1501でYES)、変動停止コマンドをセットするとともに(S1502)、特別動作ステータスを「３」にセットする(S1503)。そして、特別図柄の変動表示を、セットされている特図停止図柄データに応じた図柄（大当たり図柄、小当たり図柄又はハズレ図柄）で停止させる等のその他の処理を行ってから(S1504)、この処理を終える。
【０１３６】
［特別図柄確定処理］図２５に示すように、特別図柄確定処理(S906)ではまず、特別図柄の停止時間（図９参照）が経過したか否かを判定する(S1601)。経過していなければ(S1601でNO)、直ちにこの処理を終える。一方、停止時間が経過していれば(S1601でYES)、後述の遊技状態管理処理を行う(S1602)。
【０１３７】
次に、大当たりフラグがＯＮであるか否かを判定する(S1603)。大当たりフラグがＯＮであれば(S1603でYES)、特別動作ステータスを「４」にセットする(S1604)。そして、遊技制御用マイコン８１は、時短フラグがＯＮか否かを判定し(S1605)、ＯＮでなければステップS1607に進むが、ＯＮであれば時短フラグをＯＦＦして(S1606)ステップS1607に進む。これにより、大当たり遊技の実行中は非時短状態に制御される。本形態では非時短状態時は常に低ベース状態であるので、大当たり遊技の実行中は低ベース状態に制御されることにもなる。なお、本形態における低ベース状態とは、電チュー２２が頻繁に開放されることによる入賞サポートがないという意味での低ベース状態であり、大入賞装置の作動に基づくベースアップを考慮したものではない。
【０１３８】
その後、大当たり遊技を開始するべく、大当たりのオープニングコマンド（図６参照）をセットして(S1607)、大当たり遊技のオープニングを開始（大当たり遊技のオープニング時間の計測を開始）する(S1608)。ステップS1608に続いて、遊技制御用マイコン８１は、当選した大当たり図柄の種別に応じた開放パターン（詳しくは図６を参照）をセットする(S1609)。このときに、特別遊技中の大入賞口の開放回数をカウントする大入賞口開放カウンタの値を、当選した大当たり図柄の種別に応じた値にセットする。なお、開放パターンのセット（開放パターンに応じたデータのセット）は、ラウンド毎に行うようにしてもよい。
【０１３９】
一方、ステップS1603において大当たりフラグがＯＮでなければ(S1603でNO)、続いて小当たりフラグがＯＮであるか否かを判定する(S1610)。小当たりフラグがＯＮであれば(S1610でYES)、特別動作ステータスを「５」にセットする(S1611)。なお小当たりフラグがＯＮである場合には、時短フラグがＯＮであってもＯＦＦにはしない。その後、小当たり遊技を開始するべく、小当たりのオープニングコマンド（図６参照）をセットして(S1612)、小当たり遊技のオープニングを開始（小当たり遊技のオープニング時間の計測を開始）する(S1613)。
【０１４０】
ステップS1613に続いて、遊技制御用マイコン８１は、当選した小当たり図柄の種別に応じた開放パターン（詳しくは図６を参照）をセットする(S1614)。なおこのときに、大入賞口開放カウンタの値を、当選した小当たり図柄の種別に応じた値にセットする。その後遊技制御用マイコン８１は、振分部材作動フラグをＯＮにして(S1615)、本処理を終える。振分部材作動フラグは、振分部材７１を作動させる期間であることを示すフラグである。つまり本形態では、振分部材７１の作動は小当たり遊技のオープニングとともに開始される。
【０１４１】
ステップS1610において小当たりフラグがＯＮでなければ(S1610でNO)、大当たり遊技も小当たり遊技も開始しないため、特別動作ステータスを「１」にセットして(S1616)、本処理を終える。
【０１４２】
［遊技状態管理処理］図２６に示すように、遊技状態管理処理(S1602)ではまず、時短フラグがＯＮか否か判定し(S1701)、ＯＮであれば、時短状態中に実行した特別図柄変動の回数をカウントする時短カウンタの値を１ディクリメントするとともに(S1702)、時短カウンタの値が「０」か否か判定する(S1703)。そして「０」であれば、時短フラグをＯＦＦする(S1704)。なお、本パチンコ遊技機１では、時短状態への移行時には時短カウンタの値が「９９」にセットされるようになっている。この点については後述する。
【０１４３】
［特別電動役物処理１（大当たり遊技）］特別電動役物処理１は、１種大当たり遊技や２種大当たり遊技といった大当たり遊技（特別遊技）の実行のための処理である。図２７に示すように、特別電動役物処理１(S908)ではまず、大当たり終了フラグがＯＮであるか否かを判定する(S2001)。大当たり終了フラグは、当選した大当たり遊技において第１大入賞装置３１の開放が全て終了したことを示すフラグである。
【０１４４】
大当たり終了フラグがＯＮでなければ(S2001でNO)、第１大入賞口３０の開放中か否か（すなわち第１大入賞装置３１の開放中か否か）を判定する(S2002)。開放中でなければ(S2002でNO)、第１大入賞口３０を開放させる時間に至ったか否か、すなわち大当たりのオープニングの時間が経過して第１大入賞口３０の開放を開始する時間に至ったか、又は、開放間のインターバルの時間が経過して次の開放を開始する時間に至ったか否かを判定する(S2003)。
【０１４５】
ステップS2003の判定結果がNOであれば、そのまま処理を終える。一方、ステップS2003の判定結果がYESであれば、セットされている開放パターンに従って第１大入賞口３０を開放させる（S2004）。
【０１４６】
続くステップS2205では、ラウンド指定コマンド送信判定処理を行う。ラウンド指定コマンド送信判定処理(S2205)では、ステップS2204での大入賞口の開放がラウンド遊技１回の中での初めての開放か否かを判定し、そうであれば、実行中の大当たり遊技のラウンド数の情報を含むラウンド指定コマンドを、ＲＡＭ８４の出力バッファにセットする。なお本形態では、１回のラウンド遊技中に複数回の大入賞口の開放がなされることはない。そのため、このステップS2205では、必ずラウンド指定コマンドがセットされることとなる。
【０１４７】
ステップS2002において第１大入賞口３０の開放中であれば(S2002でYES)、そのラウンド遊技における第１大入賞口３０への入賞個数が規定の最大入賞個数（本形態では８個）に達しているか否かを判定する(S2006)。規定入賞個数に達していなければ(S2006でNO)、第１大入賞口３０を閉鎖させる時間に至ったか否か（すなわち第１大入賞口３０を開放してから所定の開放時間（図６参照）が経過したか否か）を判定する(S2007)。そして、第１大入賞口３０の開放時間が経過していなければ(S2007でNO)、本処理を終える。
【０１４８】
これに対して、規定入賞個数に達している場合(S2006でYES)又は第１大入賞口３０の開放時間が経過した場合(S2007でYES)、すなわち２つの開放終了条件のうちのいずれかが満たされている場合には、第１大入賞口３０を閉鎖（閉塞）する(S2008)。そして、大入賞口開放カウンタの値を１ディクリメントし(S2009)、大入賞口開放カウンタの値が「０」であるか否か判定する(S2010)。「０」でなければ(S2010でNO)、次の開放を開始するためにそのまま処理を終える。
【０１４９】
一方「０」であれば(S2010でYES)、大当たり遊技を終了させるべく、大当たりのエンディングコマンドをセットするとともに(S2011)、大当たり遊技のエンディングを開始（大当たり遊技のエンディング時間の計測を開始）する(S2012)。そして、大当たり終了フラグをセットして処理を終える(S2013)。
【０１５０】
またステップS2001において大当たり終了フラグがＯＮであれば(S2001でYES)、大当たり遊技における第１大入賞口３０の開放が全て終了しているので、大当たりのエンディングの時間が経過したか否かを判定し(S2014)、エンディング時間が経過していなければ(S2014でNO)処理を終える。一方、エンディング時間が経過していれば(S2014でYES)、大当たり終了フラグをＯＦＦするとともに(S2015)、大当たりフラグをＯＦＦする(S2016)。そして、特別動作ステータスを「１」にセットした後(S2017)、後述の遊技状態設定処理(S2018)を行って、本処理を終える。
【０１５１】
［遊技状態設定処理］図２８に示すように、遊技状態設定処理(S2018)ではまず、今回実行した大当たり遊技が時短当たり（すなわち「４Ｒ時短大当たり」、「１５Ｒ時短大当たり」、「１６Ｒ（実質１５Ｒ）時短小当たり」、又は「１６Ｒ（実質４Ｒ）時短小当たり」）への当選を契機として実行された大当たり遊技であるか否か判定する(S2101)。ステップS2101の判定結果がYESであれば、時短フラグをＯＮするとともに(S2102)、時短カウンタに「９９」をセットして(S2103)、本処理を終える。これにより、今回の大当たり遊技後の遊技状態が時短状態且つ高ベース状態になる。この遊技状態は、特別図柄の変動表示が９９回行われること、又は次の大当たり遊技が実行されることのいずれかの条件の成立により終了する。つまり本形態では、時短状態且つ高ベース状態は、実質的に次の大当たり遊技が実行されるまで続く。
【０１５２】
これに対して、ステップS2101の判定結果がNOであれば、ステップS2102及びS2103を行わず、本処理を終える。これにより、今回の大当たり遊技後の遊技状態が非時短状態且つ低ベース状態（通常遊技状態）になる。
【０１５３】
［特別電動役物処理２（小当たり遊技）］特別電動役物処理２は、特定領域３９を備えた第２大入賞装置３６を開放させる小当たり遊技（特定開放遊技）の実行のための処理である。図２９及び図３０に示すように、特別電動役物処理２(S909)ではまず、小当たり終了フラグがＯＮであるか否かを判定する(S2301)。小当たり終了フラグは、小当たり遊技において第２大入賞装置３６の開放が終了したことを示すフラグである。
【０１５４】
小当たり終了フラグがＯＮでなければ(S2301でNO)、第２大入賞口３５の開放中か否か（すなわち第２大入賞装置３６の開放中か否か）を判定する(S2302)。開放中でなければ(S2302でNO)、第２大入賞口３５を開放させる時間に至ったか否か、すなわち所定の開放前インターバル（小当たりのオープニング）の時間が経過して第２大入賞口３５の開放を開始する時間に至ったか否かを判定する(S2303)。
【０１５５】
ステップS2303の判定結果がNOであれば、そのまま処理を終える。一方、ステップS2303の判定結果がYESであれば、当選している小当たり図柄の種別に応じた開放パターン（図６参照）に従って第２大入賞口３５を開放させる（S2304）。
【０１５６】
ステップS2302において第２大入賞口３５の開放中であれば(S2302でYES)、第２大入賞口３５への入賞個数が規定の最大入賞個数（本形態では８個）に達しているか否かを判定する(S2305)。規定入賞個数に達していなければ(S2305でNO)、第２大入賞口３５を閉鎖させる時間に至ったか否か（すなわち第２大入賞口３５を開放してから所定の開放時間（図６に示すように本形態では１．６秒）が経過したか否か）を判定する(S2306)。そして、第２大入賞口３５の開放時間が経過していなければ(S2306でNO)、本処理を終える。
【０１５７】
これに対して、規定入賞個数に達している場合(S2305でYES)又は第２大入賞口３５の開放時間が経過した場合(S2306でYES)、すなわち２つの開放終了条件のうちのいずれかが満たされている場合には、第２大入賞口３５を閉鎖（閉塞）する(S2307)。そして、大入賞口開放カウンタの値を１ディクリメントするとともに(S2308)、小当たり終了フラグをセットする(S2309)。次いで、閉鎖後インターバルの時間（第２大入賞口３５についての球ハケ時間）をＲＡＭ８４に設けたタイマにセットして(S2310)、本処理を終える。
【０１５８】
ステップS2301において小当たり終了フラグがＯＮであれば(S2301でYES)、図３０に示すように、閉鎖後インターバルの時間が経過したか否かを判定し(S2311)、閉鎖後インターバルの時間が経過していなければ(S2311でNO)処理を終える。一方、閉鎖後インターバルの時間が経過していれば(S2311でYES)、続いて、Ｖ大入賞口出入カウンタの値が「０」であるか否かを判定する(S2312)。つまり、小当たり遊技における第２大入賞装置３６への入賞球数と排出球数とが一致するか否かを判定する(S2312)。
【０１５９】
閉鎖後インターバルの時間は、第２大入賞口３５に入賞した遊技球が第２大入賞装置３６から排出されるのに要する時間よりも長い時間に設定されている。よって、閉鎖後インターバルの時間が経過したにもかかわらずＶ大入賞口出入カウンタの値が「０」でないことは、第２大入賞装置３６内で振分部材７１が遊技球の転動を止めてしまう所謂「球噛み」等のエラーが生じている可能性がある。そのため、ステップS2312の判定結果がNOである場合には、エラー処理(S2313)を行う。
【０１６０】
エラー処理(S2313)では、振分部材７１にリトライ動作（振分部材７１を再び通過許容状態にしてから通過阻止状態に戻す動作）を行わせる。リトライ動作を行わせたにもかかわらずＶ大入賞口出入カウンタの値が「０」にならない場合（詳細にはリトライ動作にて振分部材７１が通過許容状態から通過阻止状態に戻された後、所定時間がたっても第２大入賞装置３６に対する入排出球数が一致しない場合）には、第２大入賞装置３６の入排出球数が一致しないというエラーの発生を演出制御用マイコン９１に通知するためのコマンドを、出力バッファにセットする。このコマンドを演出制御用マイコン９１が受信すると、演出制御用マイコン９１は、所定のエラー報知画像（本形態では「エラー  大入賞口入排出球不一致」の文字画像３５０、図３９（Ｅ）参照）を表示画面７ａに表示させる。なお、エラー処理(S2313)において振分部材７１にリトライ動作を行わせる前から、エラー報知画像を表示させる構成としてもよい。
【０１６１】
ステップS2312の判定結果がYESである場合（つまり第２大入賞装置３６に対する入賞球数と排出球数とが一致する旨の入排出球数一致判定がなされた場合）には、遊技制御用マイコン８１は、小当たり終了フラグをＯＦＦするとともに(S2314)、小当たりフラグをＯＦＦして(S2315)、ステップS2316に進む。ステップS2316では、ＶフラグがＯＮか否かを判定する。Ｖフラグは、小当たり遊技の実行中に特定領域３９への遊技球の通過があったことを示すフラグであり、後述するステップS2603（図３２参照）でＯＮされるフラグである。このＶフラグがＯＮでなければ(S2316でNO)、２種大当たり遊技を実行しないため、大入賞口開放カウンタの値を「０」にクリアするとともに(S2317)、特別動作ステータスを「１」にセットして(S2318)処理を終える。
【０１６２】
一方、ＶフラグがＯＮであれば(S2316でYES)、２種大当たり遊技を実行するため、遊技制御用マイコン８１は、ＶフラグをＯＦＦするとともに(S2319)、大当たりフラグをＯＮして(S2320)、特別動作ステータスを「４」にセットする(S2321)。続いて、時短フラグがＯＮであれば(S2322でYES)時短フラグをＯＦＦする(S2323)。そして、大当たりのオープニングコマンド（第２のコマンドに相当、図６参照）をセットするとともに(S2324)、大当たり遊技のオープニングを開始（大当たり遊技のオープニング時間の計測を開始）する(S2325)。これにより、第２大入賞口３５を短時間にわたって開放する小当たり遊技から２種大当たり遊技に移行する。
【０１６３】
［振分部材制御処理］遊技制御用マイコン８１は、特別動作処理(S108)に次いで振分部材制御処理(S109)を行う（図１２参照）。振分部材制御処理(S109)では図３１に示すように、まず、振分部材作動フラグがＯＮか否かを判定する(S2501)。振分部材作動フラグがＯＮでなければ本処理を終える。一方、振分部材作動フラグがＯＮであれば、小当たり遊技のオープニングが開始しているため（図２５参照）、振分部材７１を所定の作動パターンにて作動させるべく振分部材作動処理(S2502)を行うとともに、Ｖ有効期間設定処理(S2503)を行う。
【０１６４】
振分部材作動処理(S2502)では、振分部材７１の作動時間を計測するためのタイマをセットし、そのタイマを用いた計時に基づいて、振分部材７１の開放タイミングになったら振分部材ソレノイド７３をＯＮし、振分部材７１の閉鎖タイミングになったら振分部材ソレノイド７３をＯＦＦする。これにより、振分部材７１は、小当たり遊技のオープニングの開始から一定の動作で動くこととなる。この一定動作は、例えば「開放前インターバル（特定領域３９の閉鎖）⇒Ｖ開放（特定領域３９の開放）⇒閉鎖後インターバル（特定領域３９の閉鎖）」からなる一連の動作である。
【０１６５】
また、Ｖ有効期間設定処理(S2503)では、上記のような振分部材７１の一定動作に対してＶ有効期間を設定する。Ｖ有効期間とは、特定領域センサ３９ａによる検知があった場合にその検知を有効なものとみてＶフラグをＯＮにする期間である。Ｖ有効期間は、特定領域３９の開放開始（振分部材７１を通過許容状態に制御した時点）から所定の時間が経過するまでである。所定の時間は、特定領域３９の開放時間（振分部材７１を通過許容状態に制御している時間）よりも長い時間に設定されている。これは、振分部材７１の配置位置を通過した遊技球が特定領域３９に至るまでのタイムラグを考慮してのことである。
【０１６６】
具体的にはＶ有効期間設定処理(S2503)では、Ｖ有効期間を計測するためのタイマをセットし、そのタイマを用いた計時に基づいて、特定領域３９を有効にするタイミングになったらＶ有効フラグをＯＮし、特定領域３９を無効にするタイミングになったらＶ有効フラグをＯＦＦする。なお、後述する特定領域センサ検出処理(S110)のステップS2602では、このＶ有効フラグがＯＮか否かを判断することにより、Ｖ有効期間中か否かを判定する。
【０１６７】
Ｖ有効期間設定処理(S2503)に続いて遊技制御用マイコン８１は、振分部材７１の動作が終了したか否かを判定する(S2504)。具体的には、ステップS2502でセットした振分部材７１の作動時間を計測するためのタイマに基づいて、振分部材７１が一定動作を開始してから終了するまでの総作動時間が経過したか否かを判定する。そして、振分部材７１の動作が終了していなければそのまま本処理を終える。これに対して、振分部材７１の動作が終了していれば、振分部材作動フラグをＯＦＦしてから(S2505)本処理を終える。
【０１６８】
［特定領域センサ検出処理］遊技制御用マイコン８１の動作の説明に戻る。遊技制御用マイコン８１は、振分部材制御処理(S109)に次いで特定領域センサ検出処理(S110)を行う（図１２参照）。特定領域センサ検出処理(S110)では図３２に示すように、まず、特定領域センサ３９ａによる遊技球の検知があったか否かを判定する(S2601)。検知がなければ(S2601でNO)処理を終了するが、検知があれば(S2601でYES)Ｖ有効期間中か否かを判定する(S2602)。Ｖ有効期間は、前述の振分部材制御処理（図３１）におけるＶ有効期間設定処理(S2503)にて設定される期間である。
【０１６９】
ステップS2602でＶ有効期間中であると判定した場合には(S2602でYES)、ＶフラグをＯＮするとともに(S2603)、Ｖ通過コマンド（第１のコマンドに相当）をセットして(S2604)処理を終える。一方、ステップS2602でＶ有効期間中でないと判定した場合には(S2602でNO)、ステップS2603及びS2604の処理を行うことなく、特定領域センサ検出処理を終える。なお、Ｖ通過コマンドは、サブ制御基板９０にＶ通過（特定領域３９の通過）の報知を行わせるためのコマンドである。
【０１７０】
６．演出制御用マイコン９１の動作
［サブ制御メイン処理］次に図３３〜図３８に基づいて演出制御用マイコン９１の動作について説明する。なお、演出制御用マイコン９１の動作説明にて登場するカウンタ、タイマ、フラグ、ステータス、バッファ等は、ＲＡＭ９４に設けられている。サブ制御基板９０に備えられた演出制御用マイコン９１は、パチンコ遊技機１の電源がオンされると、ＲＯＭ９３から図３３に示したサブ制御メイン処理のプログラムを読み出して実行する。同図に示すように、サブ制御メイン処理では、まずＣＰＵ初期化処理を行う（S4001）。ＣＰＵ初期化処理（S4001）では、スタックの設定、定数設定、ＣＰＵ９２の設定、ＳＩＯ、ＰＩＯ、ＣＴＣ（割り込み時間の管理のための回路）等の設定等を行う。
【０１７１】
続いて、電源断信号がＯＮで且つＲＡＭ９４の内容が正常であるか否かを判定する(S4002)。そしてこの判定結果がNOであれば、ＲＡＭ９４の初期化をして(S4003)、ステップS4004に進む。一方、判定結果がYESであれば(S4002でYES)、ＲＡＭ９４の初期化をせずにステップS4004に進む。すなわち、電源断信号がＯＮでない場合、又は電源断信号がＯＮであってもＲＡＭ９４内容が正常でない場合には(S4002でNO)、ＲＡＭ９４を初期化するが、停電などで電源断信号がＯＮとなったがＲＡＭ９４内容が正常に保たれている場合には(S4002でYES)、ＲＡＭ９４を初期化しない。なお、ＲＡＭ９４を初期化すれば、各種のフラグ、ステータス及びカウンタ等の値はリセットされる。また、このステップS4001〜S4003は、電源投入後に一度だけ実行され、それ以降は実行されない。
【０１７２】
ステップS4004では、割り込みを禁止する。次いで、乱数更新処理を実行する(S4005)。乱数更新処理(S4005)では、種々の演出決定用乱数カウンタの値を更新する。なお、演出決定用乱数には、変動演出パターンを決定するための変動演出パターン決定用乱数、種々の予告演出を決定するための予告演出決定用乱数等がある。乱数の更新方法は、前述の主制御基板８０が行う乱数更新処理と同様の方法をとることができる。更新に際して乱数値を１ずつ加算するのではなく、２ずつ加算するなどしてもよい。これは、前述の主制御基板８０が行う乱数更新処理においても同様である。
【０１７３】
乱数更新処理(S4005)が終了すると、コマンド送信処理を実行する(S4006)。コマンド送信処理では、サブ制御基板９０のＲＡＭ９４内の出力バッファに格納されている各種のコマンドを、画像制御基板１００に送信する。コマンドを受信した画像制御基板１００は、コマンドに従い画像表示装置７を用いて各種の演出（装飾図柄変動演出や、特殊遊技演出（オープニング演出、開放遊技演出、エンディング演出）、デモ演出等）を実行する。なお、画像制御基板１００による各種の演出の実行に伴ってサブ制御基板９０は、音声制御基板１０６を介してスピーカ６７から音声を出力したり、ランプ制御基板１０７を介して盤ランプ５や枠ランプ６６を発光させたり、装飾可動体１５を駆動させたりする。演出制御用マイコン９１は続いて、割り込みを許可する(S4007)。以降、ステップS4004〜S4007をループさせる。割り込み許可中においては、受信割り込み処理(S4008)、１ｍｓタイマ割り込み処理(S4009)、および１０ｍｓタイマ割り込み処理(S4010)の実行が可能となる。
【０１７４】
[受信割り込み処理]受信割り込み処理(S4008)では、図３４に示すように、ストローブ信号（ＳＴＢ信号）がＯＮか否か、すなわち主制御基板８０から送られたストローブ信号が演出制御用マイコン９１の外部ＩＮＴ入力部に入力されたか否かを判定する(S4101)。そして、ストローブ信号がＯＮでなければ処理を終え、ＯＮであれば主制御基板８０から送信されてきた各種のコマンドをＲＡＭ９４の受信バッファに格納する(S4102)。この受信割り込み処理は、他の割り込み処理(S4009、S4010)に優先して実行される処理である。
【０１７５】
［１ｍｓタイマ割り込み処理］１ｍｓタイマ割り込み処理(S4009)は、サブ制御基板９０に１ｍｓｅｃ周期の割り込みパルスが入力される度に実行される。図３５に示すように、１ｍｓタイマ割り込み処理(S4009)ではまず、入力処理(S4201)を行う。入力処理(S4201)では、演出ボタン検出スイッチ６３ａやセレクトボタン検出スイッチ６４ａ（図５参照）からの検知信号に基づいてスイッチデータ（エッジデータ及びレベルデータ）を作成する。
【０１７６】
続いて、ランプデータ出力処理(S4202)を行う。ランプデータ出力処理(S4202)では、演出に合うタイミングで盤ランプ５や枠ランプ６６を発光させるべく、後述の１０ｍｓタイマ割り込み処理におけるその他の処理(S4304)で作成したランプデータをランプ制御基板１０７に出力する。つまり、ランプデータに従って盤ランプ５や枠ランプ６６を所定の発光態様で発光させる。
【０１７７】
次いで、駆動制御処理(S4203)を行う。駆動制御処理(S4203)では、演出に合うタイミングで装飾可動体１５を駆動させるべく、駆動データ（装飾可動体１５の駆動ためのデータ）を作成したり、出力したりする。つまり、駆動データに従って、装飾可動体１５を所定の動作態様で駆動させる。
【０１７８】
そして、ウォッチドッグタイマのリセット設定を行うウォッチドッグタイマ処理(S4204)を行って、本処理を終える。
【０１７９】
［１０ｍｓタイマ割り込み処理］１０ｍｓタイマ割り込み処理(S4010)は、サブ制御基板９０に１０ｍｓｅｃ周期の割り込みパルスが入力される度に実行される。図３６に示すように、１０ｍｓタイマ割り込み処理(S4010)ではまず、後述する受信コマンド解析処理を行う(S4301)。次いで、１ｍｓタイマ割り込み処理で作成したスイッチデータを１０ｍｓタイマ割り込み処理用のスイッチデータとしてＲＡＭ９４に格納するスイッチ状態取得処理を行う(S4302)。続いて、スイッチ状態取得処理にて格納したスイッチデータに基づいて表示画面７ａの表示内容等を設定するスイッチ処理を行う(S4303)。
【０１８０】
その後、演出制御用マイコン９１は、ランプデータ（盤ランプ５や枠ランプ６６の点灯を制御するデータ）を作成したり、音声データ（スピーカ６７からの音声の出力を制御するデータ）の作成及び音声制御基板１０６への出力をしたり、各種の演出決定用乱数を更新したりするなどのその他の処理を実行する(S4304)。
【０１８１】
［受信コマンド解析処理］図３７に示すように、受信コマンド解析処理(S4301)ではまず、演出制御用マイコン９１は、主制御基板８０から変動開始コマンドを受信したか否か判定し(S4401)、受信していれば後述する変動演出開始処理(S4402)を行う。変動演出開始処理(S4402)では、変動開始コマンドを解析し、その解析結果に基づいて変動演出パターンを選択する。また、停止図柄としての演出図柄や、予告演出も選択する。そして、選択した演出内容にて変動演出を開始するための変動演出開始コマンドをＲＡＭ９４の出力バッファにセットする。
【０１８２】
続いて、演出制御用マイコン９１は、主制御基板８０から変動停止コマンドを受信したか否か判定し(S4403)、受信していれば変動演出終了処理(S4404)を行う。変動演出終了処理(S4404)では、変動停止コマンドを解析し、その解析結果に基づいて、変動演出を終了させるための変動演出終了コマンドをＲＡＭ９４の出力バッファにセットする。
【０１８３】
続いて、演出制御用マイコン９１は、主制御基板８０からオープニングコマンドを受信したか否か判定し(S4405)、受信していれば後述する特殊遊技演出選択処理(S4406)を行う。
【０１８４】
続いて、演出制御用マイコン９１は、主制御基板８０からエンディングコマンドを受信したか否か判定し(S4409)、受信していればエンディング演出選択処理(S4410)を行う。エンディング演出選択処理(S4410)では、エンディングコマンドを解析して、その解析結果に基づいて、大当たり遊技のエンディング中に実行するエンディング演出のパターン（内容）を選択する。そして、選択したエンディング演出パターンにてエンディング演出を開始するためのエンディング演出開始コマンドをＲＡＭ９４の出力バッファにセットする。
【０１８５】
続いて、演出制御用マイコン９１は、主制御基板８０からＶ通過コマンドを受信したか否か判定し(S4411)、受信していればＶ通過報知演出（図３９（Ａ）参照）の演出開始コマンドをＲＡＭ９４の出力バッファにセットする(S4412)。ステップS4412でセットされた演出開始コマンドが、コマンド送信処理(S4006)により画像制御基板１００に送信されると、画像制御基板１００は、Ｖ通過報知演出の演出画像をＲＯＭ１０３から読み出して、画像表示装置７の表示画面７ａに表示させる。
【０１８６】
なおＶ通過報知演出とは、Ｖ通過（特定領域３９への通過）があったことを遊技者に報知するための演出である。本形態ではＶ通過報知演出は、図３９（Ａ）に示すように「Ｖ」の文字をデザインした演出画像３００を表示画面７ａに表示させる演出である。この演出は、特定領域通過表示に相当する。なお、Ｖ通過報知演出として表示画面７ａに表示する画像は、適宜変更可能である。また、Ｖ通過報知演出は、盤ランプ５や枠ランプ６６などのランプを所定の発光態様で発光させるなど、他の態様であってもよい。この場合、ランプによるＶ通過があった旨の表示が、特定領域通過表示に相当する。
【０１８７】
続いて、その他の処理(S4413)として上記のコマンド以外の受信コマンド（例えば普通図柄変動開始コマンドや普通図柄変動停止コマンド、ラウンド指定コマンド）に基づく処理を行って、受信コマンド解析処理を終える。
【０１８８】
［特殊遊技演出選択処理］図３８に示す特殊遊技演出選択処理(S4406)は、特殊遊技（大当たり遊技又は小当たり遊技）時に実行する特殊遊技演出のパターン（内容）を選択する処理である。ここで選択される特殊遊技演出には、大当たり遊技又は小当たり遊技のオープニング中に実行するオープニング演出と、大入賞口の開放中および開放間のインターバル中に実行する開放遊技演出が含まれている。
【０１８９】
図３８に示すように、特殊遊技演出選択処理(S4406)ではまず、オープニングコマンドを解析する(S5501)。なお本形態では、オープニングコマンドには、大当たり又は小当たりへの当選判定時にセットされた特図停止図柄データに関する情報と、当選時の遊技状態の情報とが含まれている（図６参照）。
【０１９０】
続いて演出制御用マイコン９１は、オープニングコマンドの解析結果に基づいて、小当たり遊技のオープニング開始時であるか否かを判定する(S5502)。この判定結果がYESであれば、小当たり用演出（小当たり遊技中に実行される小当たり演出）の演出パターンを選択して(S5503)、ステップS5507に進む。
【０１９１】
一方、ステップS5502の判定結果がNOであれば、続いて、４Ｒの１種大当たり遊技又は実質的に４Ｒの２種大当たり遊技のオープニング開始時であるか否かを判定する(S5504)。この判定結果がYESであれば、４Ｒ用演出（４Ｒ又は実質的に４Ｒの大当たり遊技中に実行される大当たり演出）の演出パターンを選択して(S5505)、ステップS5507に進む。
【０１９２】
これに対して、ステップS5504の判定結果がNOであれば、１５Ｒの１種大当たり遊技又は実質的に１５Ｒの２種大当たり遊技のオープニング開始時であるため、１５Ｒ用演出（１５Ｒ又は実質的に１５Ｒの大当たり遊技中に実行される大当たり演出）の演出パターンを選択して(S5506)、ステップS5507に進む。
【０１９３】
ステップS5507では演出制御用マイコン９１は、上記処理にて選択した演出パターンにて特殊遊技演出（小当たり演出又は大当たり演出）を開始するための特殊遊技演出開始コマンドを、ＲＡＭ９４の出力バッファにセットする。
【０１９４】
ステップS5507でセットされた特殊遊技演出開始コマンドが、コマンド送信処理(S4006)により画像制御基板１００に送信されると、画像制御基板１００のＣＰＵ１０２は、所定の特殊遊技演出の演出画像をＲＯＭ１０３から読み出して、画像表示装置７の表示画面７ａに表示する。例えばステップS5505が実行されており４Ｒ用演出の演出パターンが選択されていたのであれば、図３９（Ｂ），（Ｃ），及び（Ｄ）に示す一連の大当たり演出の画像が表示される。
【０１９５】
なお、ステップS5506が実行されており１５Ｒ用演出の演出パターンが選択されていたのであれば、図３９（Ｂ），（Ｃ），及び（Ｄ）に示す演出とは異なる大当たり演出の画像が表示される。大当たり演出の実行により、遊技者に対して大当たり遊技の実行中であることを報知することができる。このような大当たり演出は、特別遊技実行表示に相当する。
【０１９６】
具体的には本形態の４Ｒ用演出ではまず、遊技者に大当たり遊技の開始を報知するための画像（本形態では「ＢＡＴＴＬＥ  ＢＯＮＵＳ！」の文字をデザインした演出画像３１０、図３９（Ｂ）参照）が表示される。続いて、パチンコ遊技機１のモチーフとなっている原作に登場する主人公キャラクタと敵キャラクタとが勝負するバトル演出の画像が表示される（図３９（Ｃ）及び（Ｄ）参照）。なお本形態のパチンコ遊技機１は、大当たり遊技後の遊技状態を時短状態且つ高ベース状態に制御する場合には、バトル演出として主人公キャラクタが敵キャラクタに勝利するバトル勝利演出を実行し、大当たり遊技後の遊技状態を非時短状態且つ低ベース状態に制御する場合には、バトル演出として主人公キャラクタが敵キャラクタに敗北するバトル敗北演出を実行する。
【０１９７】
ちなみに、この４Ｒ用演出の演出時間は、大当たり遊技のオープニングの時間（３０秒、図６参照）よりも長い。つまり、４Ｒ用演出の実行中に、大当たり遊技のオープニングが終了し、ラウンド遊技が開始される。このように大当たり遊技のオープニングの期間とラウンド遊技の期間とにわたって、一連のバトル演出を実行するようにしているのは次の理由からである。すなわち、４Ｒ（又は実質的に４Ｒ）と比較的少ないラウンド数の大当たり遊技においても、バトル演出というストーリー性のある演出をある程度の演出長さをもって遊技者に見せることで、大当たり遊技中の遊技興趣を高めるためである。
【０１９８】
このような大当たり演出は、２種大当たり遊技の場合には、Ｖ通過コマンドの受信に基づくＶ通過報知演出の実行後、大当たりのオープニングコマンドの受信に基づいて実行される。つまり、演出制御用マイコン９１は、Ｖ通過コマンドの受信に基づいてＶ通過報知演出を実行し（図３９（Ａ）参照）、その後、大当たりのオープニングコマンドの受信に基づいて大当たり演出を実行する（図３９（Ｂ）〜（Ｄ）参照）。従って、仮にＶ通過後にＶ大入賞口（第２大入賞口３５）の入排出球不一致のエラーが生じた場合には、このエラーが解消されるまでは、図３９（Ｅ）に示すように「Ｖ」の演出画像３００に加えてエラー報知画像（「エラー  大入賞口入排出球不一致」の文字画像３５０）が表示されるだけであり、決して大当たり演出が開始されること（図３９（Ｂ）に示す演出画像３１０が表示されること）はない。大当たり演出が開始されるのは、Ｖ大入賞口の入排出球不一致のエラーが解消されてからである。なお、エラー報知画像の表示は、大当たりのオープニングコマンドの受信に基づいて終了される。
【０１９９】
７．本形態の効果
以上詳細に説明したように本形態のパチンコ遊技機１によれば、小当たり遊技においてＶ通過があっても、Ｖ大入賞口（第２大入賞口３５）の入排出球不一致のエラーが無いと判定されるまでは、大当たり演出が行われない（図３９参照）。従って、Ｖ通過が生じたもののエラー無し判定がなされずに２種大当たり遊技が開始されない場合に、大当たり演出が行われてしまうのを防ぐことが可能である。
【０２００】
特に本形態のパチンコ遊技機１によれば、小当たり遊技において所定の作動パターンで動作している振分部材７１が遊技球を噛んでしまい、小当たり遊技における入賞球数と排出球数とが一致しない場合に、２種大当たり遊技が開始されない（図３０参照）。よって、このような球噛みによる２種大当たり遊技の未実行時に、大当たり演出が行われてしまい、遊技の進行状況と画像表示装置７による表示内容とに齟齬が生じるのを防ぐことが可能である。
【０２０１】
また本形態のパチンコ遊技機１によれば、Ｖ通過時には画像表示装置７による特定領域通過表示がなされるため、Ｖ大入賞口（第２大入賞口３５）の入排出球不一致のエラーが無いと判定されずに２種大当たり遊技が開始されない場合でも、遊技者にＶ通過があったことを確実に認識させることが可能である（図３９（Ａ）及び（Ｅ）参照）。また、このようなエラー無し判定がなされずに２種大当たり遊技が開始されない場合には、画像表示装置７による特別遊技実行表示（図３９（Ｂ）参照）がなされない。従って、Ｖ通過に基づいて特定領域通過表示と特別遊技実行表示とを一連で続けて行う構成のように、２種大当たり遊技が開始されていないのに特別遊技実行表示がなされてしまうのを防ぐことが可能である。すなわち本形態のパチンコ遊技機１によれば、エラー無し判定がなされずに２種大当たり遊技が開始されない場合でも、Ｖ通過があったことを遊技者に認識させて安心感を与えつつ、２種大当たり遊技の未実行時における特別遊技実行表示の実行を防止することが可能である。
【０２０２】
また本形態のパチンコ遊技機１によれば、主制御基板８０によってエラー判定や２種大当たり遊技の実行がなされ、サブ制御部９９によってＶ通過時に表示画面７ａにて特定領域通過表示がなされ（図３９（Ａ）参照）、Ｖ大入賞口（第２大入賞口３５）の入排出球数に関するエラー無し判定後に特別遊技実行表示がなされる（図３９（Ｂ）参照）。よって、主制御基板８０による遊技の進行と、サブ制御部９９による画像表示装置７を用いた演出の内容とが齟齬するのを防止することが可能である。
【０２０３】
また本形態のパチンコ遊技機１によれば、大当たり遊技におけるオープニングの時間は、最大入賞個数（８個）の入賞が見込めるラウンド遊技における大入賞口の最大開放時間（２９．５秒、図６参照）以上の時間（３０秒）に設定されており、このオープニングの期間と、ラウンド遊技の実行期間とにわたって一連のバトル演出が実行される。そのため、時短状態や小当たり遊技状態において表示画面７ａに表示される右打ち報知画像ＲＩ（右打ちの文字と右向きの矢印からなる画像、図３９（Ａ）参照）は、大当たり遊技のオープニングの期間中は表示画面７ａに表示されない（図（Ｂ）〜（Ｄ）参照）。つまり、演出制御用マイコン９１は、大当たりのオープニングコマンドの受信に基づいて右打ち報知画像ＲＩの表示を止める。
【０２０４】
なお、この右打ち報知画像ＲＩの表示が再開されるのは、大当たり遊技としての初めのラウンド遊技の開始時（つまり１種大当たり遊技であれば１Ｒ目のラウンド遊技の開始時、２種大当たり遊技であれば２Ｒ目のラウンド遊技の開始時）である。つまり、演出制御用マイコン９１は、大当たり遊技としての初めのラウンド遊技に係るラウンド指定コマンドの受信に基づいて、右打ち報知画像ＲＩの表示を再開する。このような右打ち報知画像ＲＩの表示制御により、第１大入賞口３０が開放されていないのに遊技者が遊技球を発射させてしまうのを防止している。つまり、所謂ムダ球の発生を防止している。
【０２０５】
なお本形態のパチンコ遊技機１では、演出制御用マイコン９１はラウンド指定コマンドの受信の度に、そのコマンドに対応するラウンド遊技における第１大入賞口３０の開放タイミングに合わせて、表示画面７ａに所定のエフェクト画像を表示させる。具体的には例えば、表示画面７ａの周縁部に金色の枠画像を３秒程度表示させる。よって、上述の右打ち報知画像ＲＩの表示とエフェクト画像の表示とによって、大当たり遊技のオープニングの期間が３０秒と長くても、第１大入賞口３０の開放タイミングを遊技者に示唆することが可能となっている。よって、大当たり遊技のオープニングが終了し、ラウンド遊技が始まっているにもかかわらず、いつまでも遊技者が遊技球を発射させない事態の発生を防止することが可能となっている。なお、主制御基板８０に接続された表示器類４０として、右打ちを報知するための右打ち報知ランプ（例えば１つのＬＥＤを有する発光装置）を設けておくとよい。そして、この右打ち報知ランプを、大当たり遊技のオープニング中であっても右打ちを報知する発光態様（例えば点灯状態）に制御するとよい。右打ち報知ランプによる右打ち報知によって、右打ち報知画像ＲＩが表示されていない期間でも正しい遊技方法を示しておくことができるからである。
【０２０６】
８．変更例
以下、変更例について説明する。なお、変更例の説明において、上記形態のパチンコ遊技機１と同様の構成については、同じ符号を付して説明を省略する。勿論、変更例に係る構成同士を適宜組み合わせて構成してもよい。
【０２０７】
上記形態では、始動口（第２始動口２１）への入賞に基づいて判定用情報（大当たり乱数等の乱数値）を取得し、その判定用情報に基づく抽選にて小当たり遊技を行う構成としたが、始動口への入賞に基づいて、判定用情報を取得することなく小当たり遊技を行う構成としてもよい。つまり、上記形態では始動口をいわゆる特図始動口としたが、いわゆる役物始動口（大入賞装置の作動口）としてもよい。
【０２０８】
また上記形態では、Ｖ大入賞口（第２大入賞口３５）の入排出球不一致のエラーを判定する手段（ステップS2312を行う遊技制御用マイコン８１）を「エラー判定手段」とした。これに対して、エラー判定手段により確認されるエラーの種類は、入排出球数の不一致でなくてもよい。例えば、電波検知センサや磁気検知センサ、振動検知センサによる不正行為の検知など、他の種類のエラーであってもよい。電波検知センサによる不正行為の検知とした場合には、ステップS127（図１３参照）を行う遊技制御用マイコン８１がエラー判定手段に相当することとなり、磁気検知センサによる不正行為の検知とした場合には、ステップS125（図１３参照）を行う遊技制御用マイコン８１がエラー判定手段に相当することとなり、振動検知センサによる不正行為の検知とした場合には、ステップS128（図１３参照）を行う遊技制御用マイコン８１がエラー判定手段に相当することとなる。これらの不正行為の検知が小当たり遊技中になされた場合には、電源の再投入がなされたり、所定時間（例えば３０秒）が経過したりするなど、エラーの種類毎に定められている所定の復帰条件が満たされるまでは、Ｖ通過が生じていたとしても大当たり遊技が実行されることはない。なお、上記形態のパチンコ遊技機１は、小当たり遊技中も、これらのエラーの有無を判定している（図１２及び図１３参照）。
【０２０９】
また上記形態では、Ｖ大入賞口（第２大入賞口３５）の入排出球数が一致するかの判定（入排出球数判定）を、小当たり遊技における開閉部材３７の閉鎖から所定時間（閉鎖後インターバルの時間）の経過後に判定した（図３０参照）。これに対して、閉鎖後インターバルの時間の経過を待つことなく入排出球数判定を行い、一致すればＶ通過の有無に応じて遊技を進行させる構成としてもよい。この場合、不一致であれば閉鎖後インターバルの時間が経過するまでこの判定を繰り返し、閉鎖後インターバルの時間が経過しても入排出球数が一致しなければ、エラー処理(S2313)を行う構成とする。
【０２１０】
また上記形態では、特定領域通過表示（図３９（Ａ）参照）や特別遊技実行表示（図３９（Ｂ）参照）を行う表示手段を、画像表示装置７とした。これに対して、表示手段を、盤ランプ５や枠ランプ６６といった演出制御用マイコン９１によって発光を制御されるランプ（ＬＥＤ）としてもよい。この場合、演出制御用マイコン９１及びランプ制御基板１０７が表示制御手段に相当する。
【０２１１】
また、表示手段としての画像表示装置を、複数の画像表示装置によって構成してもよい。例えば、メイン表示装置としての画像表示装置７の他に、サブ表示装置を備えている構成では、メイン表示装置にて特定通過表示及び特別遊技実行表示の一方を実行し、サブ表示装置にて他方を実行する構成としてもよい。また、両表示装置を使って特定領域通過表示を分割表示したり、特別遊技実行表示を分割表示したりする構成としてもよい。なお、タッチセンサと液晶表示装置からなるタッチパネルを遊技機枠５０に搭載し、このタッチパネルにおける液晶表示装置をサブ表示装置としてもよい。
【０２１２】
また、表示手段を、主制御基板８０に接続されるランプ（ＬＥＤ）としてもよい。この場合、ランプは、表示器類４０として設ける。またこの場合、主制御基板８０が表示制御手段に相当する。具体的には例えば、左右に並んで配置された２つのＬＥＤからなる「大当たりランプ」を表示器類４０に追加的に設け、Ｖ通過時でも大当たり遊技の実行中でもなければ、両ＬＥＤを消灯させ、Ｖ通過時には両ＬＥＤのうちの一方（例えば右側）を点灯させ、大当たり遊技の実行中には両ＬＥＤのうちの他方（例えば左側）を点灯させればよい。この場合、両ＬＥＤのうちの一方（右側）を点灯させている態様が、「大当たりランプ」の第１態様にあたり、両ＬＥＤのうちの他方（左側）を点灯させている態様が、「大当たりランプ」の第２態様にあたる。またこの例において、左側のＬＥＤのみに着目すれば、非表示態様（非発光態様）が第１の態様にあたり、表示態様（発光態様）が第２の態様にあたる。なお、Ｖ通過時には両ＬＥＤのうちのいずれか一方を点灯させ、大当たり遊技の実行中には両ＬＥＤをともに点灯させてもよい。
【０２１３】
また例えば、大当たり遊技のラウンド数を報知するラウンドランプ（具体的には例えば、４Ｒであることを示すランプと、１５Ｒであることを示すランプと、１６Ｒであることを示すランプ）を表示器類４０に追加的に設け、主制御基板８０によりその発光を制御してもよい。主制御基板８０は、大当たり遊技の開始のタイミングで、ラウンドランプを点灯させる。この場合、１６Ｒであることを示すランプに着目すれば、非表示態様（非発光態様）が第１の態様にあたり、表示態様（発光態様）が第２の態様にあたる。なお、主制御基板８０による「大当たりランプ」や「ラウンドランプ」の点灯制御を、上記形態における特定領域通過表示（図３９（Ａ）参照）や特別遊技実行表示（図３９（Ｂ）参照）に加えて行う構成としてもよい。このように構成すれば、画像表示装置７においてエラー表示（図３９（Ｅ）参照）を行っている場合にも、主制御基板８０側のランプによって状態を誤りなく遊技者に認識させることが可能となる。
【０２１４】
また上記形態では、特定領域通過表示（図３９（Ａ）参照）を行う表示手段と、特別遊技実行表示（図３９（Ｂ）参照）を行う表示手段を、ともに画像表示装置７として構成した。これに対して、特定領域通過表示を行う表示手段と、特別遊技実行表示を行う表示手段とが別種の表示手段であってもよい。例えば、特定領域通過表示を演出制御用マイコン９１によって発光を制御されるランプ（ＬＥＤ）によって行い、特別遊技実行表示を画像表示装置７によって行う構成としてもよい。
【０２１５】
また、特定領域通過表示は、「Ｖ」の演出画像３００の表示でなくてもよい。また、特別遊技実行表示は、「ＢＡＴＴＬＥ  ＢＯＮＵＳ！」の演出画像３１０の表示でなくてもよい。つまりこれらの表示としてどのような表示を行うかは、適宜変更可能である。特別遊技実行表示としては例えば、「大当たり！」の演出画像の表示などが挙げられる。
【０２１６】
また上記形態では、小当たり遊技におけるＶ通過率を１／１０程度に設定したが、特図２の抽選での小当たり当選に基づく小当たり遊技において、必ずＶ通過するように、振分部材７１の作動パターンと開閉部材３７の開放パターンを設定してもよい。この開放パターンを、通過開放パターンという。なおこの場合には、特図１の抽選にて、Ｖ通過し得ない又はＶ通過困難な非通過開放パターンで開閉部材３７が開放される小当たり遊技の実行契機となる小当たりに当選可能とするとよい。Ｖ通過率が遊技機全体として高くなり過ぎるのを防止することが可能となるからである。また、特図２の抽選に基づく小当たり遊技における大入賞口の開放パターンを、上述の通過開放パターンとする場合には、時短回数（時短状態且つ高ベース状態の特図変動の上限実行回数）を「１」とするとともに、特図２の抽選におけるハズレ確率をゼロとしてもよい。
【０２１７】
また上記形態では、時短回数として、時短状態における特図１の変動と特図２の変動との合算の実行回数をカウントする構成としたが、特図１の変動回数だけをカウントする構成や、特図２の変動回数だけをカウントする構成としてもよい。
【０２１８】
また上記形態では、９９回の特別図柄の変動表示が実行されると高ベース状態を終了するように構成したが、高ベース状態の終了条件としての特別図柄の変動表示の実行回数（上限実行回数）は、任意に変更可能である。
【０２１９】
なお、小当たり遊技における特別入賞口の総開放時間は、少なくとも１球の入賞が可能な時間であれば、適宜変更可能である。但し意図しない量の賞球がなされないように、特別入賞口の総開放時間を１．８秒以下としておくことが望ましい。
【０２２０】
また上記形態では、大当たり遊技においては第１大入賞口３０を開放し、小当たり遊技においては第２大入賞口３５を開放するように構成した。これに対して、大当たり遊技の少なくとも一部のラウンドに、第２大入賞口３５を開放するラウンドがある構成としてもよい。この場合には、大当たり遊技の実行中のＶ通過によってさらに大当たり遊技が実行されることがないように構成する。
【０２２１】
また上記形態では、小当たり遊技の開始時点を基準に、時間で管理された所定の作動パターンに従って、特定領域３９が開放されるように構成した。これに対して、第２大入賞口３５への入賞球数が予め定められた作動契機入賞球数（例えば２球）になったときに、特定領域３９を開放させる構成としてもよい。なお、作動契機入賞球数に基づいて振分部材７１が作動する構成であっても、振分部材７１が所定の作動パターンに従って作動されていることにかわりはないし、特定領域３９が予め定められたタイミングで通過の可否が切り替えられていることにかわりはない。
【０２２２】
また上記形態では、非時短状態中に右打ちがなされると、特図２の抽選に基づいて２種大当たりに当選してしまう（特定領域３９への通過が発生してしまう）おそれがある。そこで、時短状態中又は特殊遊技中ではないのに右打ちされた場合には、左打ちで遊技するべき旨を報知する警告画像を表示画面７ａに表示する等の注意喚起を行うようにしてもよい。この場合には、例えばゲートセンサ２８ａを右打ち検知センサとして機能させてもよいし（つまりゲートセンサ２８ａによる検知に基づいて警告画像を表示画面７ａに表示するようにしてもよいし）、別途、右打ち検知センサを設けてもよい。また、非時短状態において右打ちされても電チュー２２に係る第２始動口２１への入賞が発生することのないように、非時短状態中の普通図柄抽選の当選確率を零に設定してもよい。
【０２２３】
また上記形態では、第１始動口２０又は第２始動口２１への入賞に基づいて取得する乱数（判定用情報）として、大当たり乱数等の４つの乱数を取得することとしたが、一つの乱数を取得してその乱数に基づいて、大当たりか否か、当たりの種別、リーチの有無、及び変動パターンの種類を決めるようにしてもよい。すなわち、始動入賞に基づいて取得する乱数の個数および各乱数において何を決定するようにするかは任意に設定可能である。
【０２２４】
また上記形態では、いわゆる１種２種混合機として構成したが、１種大当たりを搭載していない遊技機、つまりいわゆるハネモノタイプの遊技機として構成してもよい。
【０２２５】
また上記形態では、第１始動口２０と第２始動口２１との２つの始動口を設けたが、始動口を１つだけ有している構成としてもよい。この場合、始動口は、遊技球の入球し易さが常時変わらない固定始動口としてもよいし、遊技球の入球し易さが変化可能な可変始動口（電チューに係る始動口）としてもよい。
【０２２６】
なお、上記形態において特定領域通過表示を行っている画像表示装置７（図３９（Ａ）参照）は、第１の態様に制御された表示手段に相当する。また、特別遊技実行表示を行っている画像表示装置７（図３９（Ｂ）参照）は、第２の態様に制御された表示手段に相当する。つまり、第１の態様は、特定領域３９への通過（Ｖ通過）があったことを報知するが、特別遊技（大当たり遊技）の実行中であることを報知しない態様である。言い換えれば、まだ特別遊技（大当たり遊技）の実行中ではないことを報知する態様である。これに対して、第２の態様は、特別遊技（大当たり遊技）の実行中であることを報知するが、Ｖ通過があったことの報知ではない態様である。
【０２２７】
なお、この［発明を実施するための形態］における上記までの記載内容には、以下〈Ａ〉〜〈Ｄ〉の発明が示されている。以下の説明では、上記までの記載内容における対応する構成名や表現、図面に使用した符号等を参考のためにかっこ書きで付記している。但し、各発明の構成要素はこの付記に限定されるものではない。
【０２２８】
〈Ａ〉
遊技球が流下可能な遊技領域（３）に配された入球口（第１始動口２０又は第２始動口２１）と、
前記遊技領域に配された特別入賞口（第２大入賞口３５）、前記特別入賞口を開閉可能な特別入賞口開閉部材（開閉部材３７）、前記特別入賞口へ入賞した遊技球が通過可能な特定領域（３９）、前記特定領域への遊技球の通過を検知する特定領域検知手段（特定領域センサ３９ａ）、及び、前記特定領域への遊技球の通過が可能な第１状態と不可能又は困難な第２状態とをとる振分部材（７１）、を有する特別入賞手段（第２大入賞装置３６）と、
前記入球口への入球に基づいて、前記特別入賞口開閉部材を開放させる特定開放遊技（小当たり遊技）を実行する特定開放遊技実行手段（ステップS909を実行する遊技制御用マイコン８１）と、
前記特定開放遊技において所定の作動パターンに従って前記振分部材を前記第１状態と前記第２状態とに制御可能な振分部材制御手段（ステップS109を実行する遊技制御用マイコン８１）と、
前記特定開放遊技中に予め定められた種類のエラーの有無を判定可能なエラー判定手段（ステップS2312を実行する遊技制御用マイコン８１）と、
前記特定開放遊技中の前記特定領域検知手段による通過検知に基づいて、遊技者に有利な特別遊技（大当たり遊技）を実行可能な特別遊技実行手段（ステップS908を実行する遊技制御用マイコン８１）と、
所定の表示手段（画像表示装置７）による表示を制御可能な表示制御手段（演出制御用マイコン９１及び画像制御基板１００）と、を備え、
前記特別遊技実行手段は、前記特別遊技の実行を、前記エラー判定手段によるエラー無し判定の後に開始させる（ステップS2312でYESの場合に開始させる）ものである遊技機（パチンコ遊技機１）であって、
前記表示制御手段は、
前記特定領域検知手段による通過検知時には、予め定められた第１の態様（図３９（Ａ）に示す態様）に前記表示手段を制御し、
前記通過検知がなされた場合の前記エラー無し判定の後に、前記特別遊技の実行を報知する第２の態様（図３９（Ｂ）に示す態様）に前記表示手段を制御するものであることを特徴とする遊技機である。
【０２２９】
この構成の遊技機によれば、特定開放遊技において特別入賞口内の特定領域への通過があっても、エラー無し判定がなされるまでは、表示手段による特別遊技の実行報知が行われない。従って、特定領域への通過が生じたもののエラー無し判定がなされずに特別遊技が開始されない場合に、表示手段による特別遊技の実行報知が行われてしまうのを防ぐことが可能である。
【０２３０】
〈Ｂ〉上記構成の遊技機を次のように構成するとよい。
前記エラー判定手段は、前記特定開放遊技における前記特別入賞口開閉部材の閉鎖後に、その特定開放遊技における前記特別入賞手段への入賞球数と、前記特別入賞手段からの排出球数とが一致するかを判定する入排出球数一致判定手段（ステップS2312を実行する遊技制御用マイコン８１）であり、
前記エラー無し判定は、前記入賞球数と前記排出球数とが一致する旨の入排出球数一致判定であることを特徴とする遊技機。
【０２３１】
この構成の遊技機によれば、特定開放遊技において所定の作動パターンで動作している振分部材が遊技球を噛んでしまい、特定開放遊技における入賞球数と排出球数とが一致しない場合には、特別遊技が開始されない。よって、このような球噛みによる特別遊技の未実行時に、表示手段による特別遊技の実行報知が行われてしまい、遊技の進行状況と表示手段による表示内容とに齟齬が生じるのを防ぐことが可能である。
【０２３２】
〈Ｃ〉上記構成の遊技機を次のように構成するとよい。
前記第１の態様は、前記特定領域への通過を報知する態様であり、
前記表示制御手段は、
前記特定領域検知手段による通過検知時に、前記第１の態様の表示である特定領域通過表示を前記表示手段に行わせ（図３９（Ａ）参照）、
前記通過検知がなされた場合の前記エラー無し判定の後に、前記第２の態様の表示である特別遊技実行表示を前記表示手段に行わせる（図３９（Ｂ）参照）ものであることを特徴とする遊技機。
【０２３３】
この構成の遊技機によれば、特定領域への通過時には表示手段による特定領域通過表示がなされるため、エラー無し判定がなされずに特別遊技が開始されない場合でも、遊技者に特定領域への通過があったことを確実に認識させることが可能である。また、エラー無し判定がなされずに特別遊技が開始されない場合には、表示手段による特別遊技実行表示がなされない。従って、特定領域への通過に基づいて特定領域通過表示と特別遊技実行表示とを一連で続けて行う構成のように、特別遊技が開始されていないのに特別遊技実行表示がなされてしまうのを防ぐことが可能である。
【０２３４】
〈Ｄ〉上記構成の遊技機を次のように構成するとよい。
遊技の進行を制御するメイン制御部（主制御基板８０）と、
前記遊技の進行に伴う演出を制御するサブ制御部（９９）と、を備え、
前記特定領域検知手段は、前記メイン制御部に接続されており、
前記メイン制御部は、
前記特定開放遊技実行手段、前記振分部材制御手段、前記エラー判定手段、及び、前記特別遊技実行手段を備えているとともに、
前記特定領域検知手段による通過検知に基づいて第１のコマンド（Ｖ通過コマンド）を前記サブ制御部に送信し、前記通過検知がなされた場合の前記エラー無し判定の後に第２のコマンド（大当たりのオープニングコマンド）を前記サブ制御部に送信するコマンド送信手段（ステップS2604，S2324，S101を実行する遊技制御用マイコン８１）を備えており、
前記サブ制御部は、前記表示制御手段を備えており、
前記表示制御手段は、前記サブ制御部が前記第１のコマンドを受信すると前記第１の態様に前記表示手段を制御し（ステップS4411でYESであればS4412を行い）、前記サブ制御部が前記第２のコマンドを受信すると前記第２の態様に前記表示手段を制御する（ステップS4405でYES、S5502でNOであれば、S5505又はS5506を行って、S5507を行う）ものであることを特徴とする遊技機。
【０２３５】
この構成の遊技機によれば、メイン制御部によってエラー判定や特別遊技の実行がなされ、サブ制御部によって特定領域への通過時に表示手段が第１の態様に制御され、エラー無し判定後に表示手段が第２の態様に制御される。よって、メイン制御部による遊技の進行と、サブ制御部による表示手段を用いた演出の内容とが齟齬するのを防止することが可能である。
【符号の説明】
【０２３６】
１…パチンコ遊技機
３…遊技領域
７…画像表示装置（表示手段）
７ａ…表示画面
２０…第１始動口（第１入球口）
２１…第２始動口（第２入球口）
３５…第２大入賞口（特別入賞口）
３６…第２大入賞装置（特別入賞手段）
３７…開閉部材（特別入賞口開閉部材）
３９…特定領域
３９ａ…特定領域センサ（特定領域検知手段）
７１…振分部材
８０…主制御基板（メイン制御部）
８１…遊技制御用マイコン
９０…サブ制御基板
９１…演出制御用マイコン
９９…サブ制御部
１００…画像制御基板
【図１】
2018020193.tif 000003
【図２】
2018020193.tif 000004
【図３】
2018020193.tif 000005
【図４】
2018020193.tif 000006
【図５】
2018020193.tif 000007
【図６】
2018020193.tif 000008
【図７】
2018020193.tif 000009
【図８】
2018020193.tif 000010
【図９】
2018020193.tif 000011
【図１０】
2018020193.tif 000012
【図１１】
2018020193.tif 000013
【図１２】
2018020193.tif 000014
【図１３】
2018020193.tif 000015
【図１４】
2018020193.tif 000016
【図１５】
2018020193.tif 000017
【図１６】
2018020193.tif 000018
【図１７】
2018020193.tif 000019
【図１８】
2018020193.tif 000020
【図１９】
2018020193.tif 000021
【図２０】
2018020193.tif 000022
【図２１】
2018020193.tif 000023
【図２２】
2018020193.tif 000024
【図２３】
2018020193.tif 000025
【図２４】
2018020193.tif 000026
【図２５】
2018020193.tif 000027
【図２６】
2018020193.tif 000028
【図２７】
2018020193.tif 000029
【図２８】
2018020193.tif 000030
【図２９】
2018020193.tif 000031
【図３０】
2018020193.tif 000032
【図３１】
2018020193.tif 000033
【図３２】
2018020193.tif 000034
【図３３】
2018020193.tif 000035
【図３４】
2018020193.tif 000036
【図３５】
2018020193.tif 000037
【図３６】
2018020193.tif 000038
【図３７】
2018020193.tif 000039
【図３８】
2018020193.tif 000040
【図３９】
2018020193.tif 000041